(57)【特許請求の範囲】
【請求項１】
無線通信システムにおけるダウンリンク情報の通信を容易にする方法であって、
機能を基地局がイネーブルしているかディセーブルしているかを示す信号を受信することと、ここで、前記機能は、選択されたダウンリンク情報に基づいて、ページング情報、システム情報、またはユニキャスト・データ情報のうちの少なくとも１つを、１または複数の位置において送信するように構成されている、
送信された前記ページング情報、前記システム情報、または前記ユニキャスト・データ情報のうちの少なくとも１つを、前記１または複数の位置において受信することと、
少なくとも、前記選択されたダウンリンク情報に基づいて、前記ページング情報、前記システム情報、または前記ユニキャスト・データ情報のうちの少なくとも１つのリソース割当を決定することと、ここで、前記決定は、前記ページング情報、前記システム情報、または前記ユニキャスト・データ情報のうちの少なくとも１つに対応する制御チャネルを復号することなく、かつ、前記機能がイネーブルされていることを示す信号を受信することに応答して実行される、
を備える方法。
【請求項２】
前記選択されたダウンリンク情報は、セル識別情報、システム・フレーム数、サイクリック・プレフィクス・タイプ、または、クローズド加入者グループのうちの少なくとも１つを示す情報である、請求項１に記載の方法。
【請求項３】
前記選択されたダウンリンク情報は、物理制御フォーマット・インジケータ・チャネルまたは物理ダウンリンク制御チャネルのうちの少なくとも１つで受信される、請求項１に記載の方法。
【請求項４】
前記ダウンリンク情報を受信することは、前記１または複数の位置のうちの少なくとも２つにおいて、少なくとも、前記選択されたダウンリンク情報を受信することに基づいて、前記１または複数の位置においてブラインド復号することを備える、請求項１に記載の方法。
【請求項５】
物理ブロードキャスト・チャネル、基準信号、一次同期信号、二次同期信号、または準ランダム・シーケンスのうちの少なくとも１つが、機能をイネーブルしているかディセーブルしているかを示す信号に関する情報を含む、請求項１に記載の方法。
【請求項６】
コンピュータに対して、機能を基地局がイネーブルしているかディセーブルしているかを示す信号を受信させるための第１のコードのセットと、ここで、前記機能は、選択されたダウンリンク情報に基づいて、ページング情報、システム情報、またはユニキャスト・データ情報のうちの少なくとも１つを、１または複数の位置において送信するように構成されている、
前記コンピュータに対して、送信された前記ページング情報、前記システム情報、または前記ユニキャスト・データ情報のうちの少なくとも１つを、前記１または複数の位置において受信させるための第２のコードのセットと、
前記コンピュータに対して、少なくとも、前記選択されたダウンリンク情報に基づいて、前記ページング情報、前記システム情報、または前記ユニキャスト・データ情報のうちの少なくとも１つのリソース割当を決定させるための第３のコードのセットと、ここで、前記決定は、前記ページング情報、前記システム情報、または前記ユニキャスト・データ情報のうちの少なくとも１つに対応する制御チャネルを復号することなく、かつ、前記機能がイネーブルされていることを示す信号を送信することに応答して実行される、
を備えるコンピュータ読取可能な記録媒体。
【請求項７】
前記選択されたダウンリンク情報は、セル識別情報、システム・フレーム数、サイクリック・プレフィクス・タイプ、または、クローズド加入者グループのうちの少なくとも１つを示す情報である、請求項６に記載のコンピュータ読取可能な記録媒体。
【請求項８】
前記選択されたダウンリンク情報は、物理制御フォーマット・インジケータ・チャネルまたは物理ダウンリンク制御チャネルのうちの少なくとも１つで受信される、請求項６に記載のコンピュータ読取可能な記録媒体。
【請求項９】
前記選択されたダウンリンク情報を受信することは、前記１または複数の位置のうちの少なくとも２つにおいて、少なくとも、前記選択されたダウンリンク情報を受信することに基づいて、前記１または複数の位置においてブラインド復号することを備える、請求項６に記載のコンピュータ読取可能な記録媒体。
【請求項１０】
物理ブロードキャスト・チャネル、基準信号、一次同期信号、二次同期信号、または準ランダム・シーケンスのうちの少なくとも１つが、機能をイネーブルしているかディセーブルしているかを示す信号に関する情報を含む、請求項６に記載のコンピュータ読取可能な記録媒体。
【請求項１１】
装置であって、
機能を基地局がイネーブルしているかディセーブルしているかを示す信号を受信する手段と、ここで、前記機能は、選択されたダウンリンク情報に基づいて、ページング情報、システム情報、またはユニキャスト・データ情報のうちの少なくとも１つを、１または複数の位置において送信するように構成されている、
送信された前記ページング情報、前記システム情報、または前記ユニキャスト・データ情報のうちの少なくとも１つを、前記１または複数の位置において受信する手段と、
少なくとも、前記選択されたダウンリンク情報に基づいて、前記ページング情報、前記システム情報、または前記ユニキャスト・データ情報のうちの少なくとも１つのリソース割当を決定する手段と、ここで、前記決定は、前記ページング情報、前記システム情報、または前記ユニキャスト・データ情報のうちの少なくとも１つに対応する制御チャネルを復号することなく、かつ、前記機能がイネーブルされていることを示す信号を送信することに応答して実行される、
を備える装置。
【請求項１２】
前記選択されたダウンリンク情報は、セル識別情報、システム・フレーム数、サイクリック・プレフィクス・タイプ、または、クローズド加入者グループのうちの少なくとも１つを示す情報である、請求項１１に記載の装置。
【請求項１３】
前記選択されたダウンリンク情報は、物理制御フォーマット・インジケータ・チャネルまたは物理ダウンリンク制御チャネルのうちの少なくとも１つで受信される、請求項１１に記載の装置。
【請求項１４】
前記ダウンリンク情報を受信することは、前記１または複数の位置のうちの少なくとも２つにおいて、少なくとも、前記選択されたダウンリンク情報を受信することに基づいて、前記１または複数の位置においてブラインド復号することを備える、請求項１１に記載の装置。
【請求項１５】
物理ブロードキャスト・チャネル、基準信号、一次同期信号、二次同期信号、または準ランダム・シーケンスのうちの少なくとも１つが、機能をイネーブルしているかディセーブルしているかを示す信号に関する情報を含む、請求項１１に記載の装置。
【請求項１６】
装置であって、
機能を基地局がイネーブルしているかディセーブルしているかを示す信号を受信し、ここで、前記機能は、選択されたダウンリンク情報に基づいて、ページング情報、システム情報、またはユニキャスト・データ情報のうちの少なくとも１つを、１または複数の位置において送信するように構成されている、
送信された前記ページング情報、前記システム情報、または前記ユニキャスト・データ情報のうちの少なくとも１つを、前記１または複数の位置において受信し、
少なくとも、前記選択されたダウンリンク情報に基づいて、前記ページング情報、前記システム情報、または前記ユニキャスト・データ情報のうちの少なくとも１つのリソース割当を決定するように構成され、ここで、前記決定は、前記ページング情報、前記システム情報、または前記ユニキャスト・データ情報のうちの少なくとも１つに対応する制御チャネルを復号することなく、かつ、前記機能がイネーブルされていることを示す信号を受信することに応答して実行される、
リソース割当モジュールを備える、装置。
【請求項１７】
前記選択されたダウンリンク情報は、セル識別情報、システム・フレーム数、サイクリック・プレフィクス・タイプ、または、クローズド加入者グループのうちの少なくとも１つを示す情報である、請求項１６に記載の装置。
【請求項１８】
前記選択されたダウンリンク情報は、物理制御フォーマット・インジケータ・チャネルまたは物理ダウンリンク制御チャネルのうちの少なくとも１つで受信される、請求項１６に記載の装置。
【請求項１９】
前記ダウンリンク情報を受信することは、前記１または複数の位置のうちの少なくとも２つにおいて、少なくとも、前記選択されたダウンリンク情報を受信することに基づいて、前記１または複数の位置においてブラインド復号することを備える、請求項１６に記載の装置。
【請求項２０】
物理ブロードキャスト・チャネル、基準信号、一次同期信号、二次同期信号、または準ランダム・シーケンスのうちの少なくとも１つが、機能をイネーブルしているかディセーブルしているかを示す信号に関する情報を含む、請求項１６に記載の装置。
【請求項２１】
無線通信システムにおけるダウンリンク情報の通信を容易にする方法であって、
機能をイネーブルしているかディセーブルしているかを示す信号を送信することと、ここで、前記機能は、選択されたダウンリンク情報に基づいて、ページング情報、システム情報、またはユニキャスト・データ情報のうちの少なくとも１つを、１または複数の位置において送信するように構成されている、
送信された前記ページング情報、前記システム情報、または前記ユニキャスト・データ情報のうちの少なくとも１つを、前記１または複数の位置において送信することと、ここで、前記選択されたダウンリンク情報は、ユーザ機器が、少なくとも、前記選択されたダウンリンク情報に基づいて、前記ページング情報、前記システム情報、または前記ユニキャスト・データ情報のうちの少なくとも１つのリソース割当を決定できるようにするように構成されている、ここで、前記決定は、前記ページング情報、前記システム情報、または前記ユニキャスト・データ情報のうちの少なくとも１つに対応する制御チャネルを復号することなく、かつ、前記機能がイネーブルされていることを示す信号を送信することに応答して実行される、
を備える方法。
【請求項２２】
前記選択されたダウンリンク情報は、セル識別情報、システム・フレーム数、サイクリック・プレフィクス・タイプ、または、クローズド加入者グループのうちの少なくとも１つを示す情報である、請求項２１に記載の方法。
【請求項２３】
前記選択されたダウンリンク情報は、物理制御フォーマット・インジケータ・チャネルまたは物理ダウンリンク制御チャネルのうちの少なくとも１つで送信される、請求項２１に記載の方法。
【請求項２４】
前記１または複数の位置は、互いにユニークではない、請求項２１に記載の方法。
【請求項２５】
物理ブロードキャスト・チャネル、基準信号、一次同期信号、二次同期信号、または準ランダム・シーケンスのうちの少なくとも１つが、機能をイネーブルしているかディセーブルしているかを示す信号に関する情報を含む、請求項２１に記載の方法。
【請求項２６】
コンピュータに対して、機能をイネーブルしているかディセーブルしているかを示す信号を送信させるための第１のコードのセットと、ここで、前記機能は、選択されたダウンリンク情報に基づいて、ページング情報、システム情報、またはユニキャスト・データ情報のうちの少なくとも１つを、１または複数の位置において送信するように構成されている、
前記コンピュータに対して、送信された前記ページング情報、前記システム情報、または前記ユニキャスト・データ情報のうちの少なくとも１つを、前記１または複数の位置において送信させるための第２のコードのセットと、ここで、前記選択されたダウンリンク情報は、ユーザ機器が、少なくとも、前記選択されたダウンリンク情報に基づいて、前記ページング情報、前記システム情報、または前記ユニキャスト・データ情報のうちの少なくとも１つのリソース割当を決定できるようにするように構成されている、ここで、前記決定は、前記ページング情報、前記システム情報、または前記ユニキャスト・データ情報のうちの少なくとも１つに対応する制御チャネルを復号することなく、かつ、前記機能がイネーブルされていることを示す信号を送信することに応答して実行される、
を備えるコンピュータ読取可能な記録媒体。
【請求項２７】
前記選択されたダウンリンク情報は、セル識別情報、システム・フレーム数、サイクリック・プレフィクス・タイプ、または、クローズド加入者グループのうちの少なくとも１つを示す情報である、請求項２６に記載のコンピュータ読取可能な記録媒体。
【請求項２８】
前記選択されたダウンリンク情報は、物理制御フォーマット・インジケータ・チャネルまたは物理ダウンリンク制御チャネルのうちの少なくとも１つで送信される、請求項２６に記載のコンピュータ読取可能な記録媒体。
【請求項２９】
前記１または複数の位置は、互いにユニークではない、請求項２６に記載のコンピュータ読取可能な記録媒体。
【請求項３０】
物理ブロードキャスト・チャネル、基準信号、一次同期信号、二次同期信号、または準ランダム・シーケンスのうちの少なくとも１つが、機能をイネーブルしているかディセーブルしているかを示す信号に関する情報を含む、請求項２６に記載のコンピュータ読取可能な記録媒体。
【請求項３１】
装置であって、
機能をイネーブルしているかディセーブルしているかを示す信号を送信する手段と、ここで、前記機能は、選択されたダウンリンク情報に基づいて、ページング情報、システム情報、またはユニキャスト・データ情報のうちの少なくとも１つを、１または複数の位置において送信するように構成されている、
送信された前記ページング情報、前記システム情報、または前記ユニキャスト・データ情報のうちの少なくとも１つを、前記１または複数の位置において送信する手段と、ここで、前記選択されたダウンリンク情報は、ユーザ機器が、少なくとも、前記選択されたダウンリンク情報に基づいて、前記ページング情報、前記システム情報、または前記ユニキャスト・データ情報のうちの少なくとも１つのリソース割当を決定できるようにするように構成されている、ここで、前記決定は、前記ページング情報、前記システム情報、または前記ユニキャスト・データ情報のうちの少なくとも１つに対応する制御チャネルを復号することなく、かつ、前記機能がイネーブルされていることを示す信号を送信することに応答して実行される、
を備える装置。
【請求項３２】
前記選択されたダウンリンク情報は、セル識別情報、システム・フレーム数、サイクリック・プレフィクス・タイプ、または、クローズド加入者グループのうちの少なくとも１つを示す情報である、請求項３１に記載の装置。
【請求項３３】
前記選択されたダウンリンク情報は、物理制御フォーマット・インジケータ・チャネルまたは物理ダウンリンク制御チャネルのうちの少なくとも１つで送信される、請求項３１に記載の装置。
【請求項３４】
前記１または複数の位置は、互いにユニークではない、請求項３１に記載の装置。
【請求項３５】
物理ブロードキャスト・チャネル、基準信号、一次同期信号、二次同期信号、または準ランダム・シーケンスのうちの少なくとも１つが、機能をイネーブルしているかディセーブルしているかを示す信号に関する情報を含む、請求項３１に記載の装置。
【請求項３６】
装置であって、
機能をイネーブルしているかディセーブルしているかを示す信号を送信し、ここで、前記機能は、選択されたダウンリンク情報に基づいて、ページング情報、システム情報、またはユニキャスト・データ情報のうちの少なくとも１つを、１または複数の位置において送信するように構成されている、
送信された前記ページング情報、前記システム情報、または前記ユニキャスト・データ情報のうちの少なくとも１つを、前記１または複数の位置において送信するように構成され、ここで、前記選択されたダウンリンク情報は、ユーザ機器が、少なくとも、前記選択されたダウンリンク情報に基づいて、前記ページング情報、前記システム情報、または前記ユニキャスト・データ情報のうちの少なくとも１つのリソース割当を決定できるようにするように構成されている、ここで、前記決定は、前記ページング情報、前記システム情報、または前記ユニキャスト・データ情報のうちの少なくとも１つに対応する制御チャネルを復号することなく、かつ、前記機能がイネーブルされていることを示す信号を送信することに応答して実行される、
リソース割当モジュールを備える、装置。
【請求項３７】
前記選択されたダウンリンク情報は、セル識別情報、システム・フレーム数、サイクリック・プレフィクス・タイプ、または、クローズド加入者グループのうちの少なくとも１つを示す情報である、請求項３６に記載の装置。
【請求項３８】
前記選択されたダウンリンク情報は、物理制御フォーマット・インジケータ・チャネルまたは物理ダウンリンク制御チャネルのうちの少なくとも１つで送信される、請求項３６に記載の装置。
【請求項３９】
前記１または複数の位置は、互いにユニークではない、請求項３６に記載の装置。
【請求項４０】
物理ブロードキャスト・チャネル、基準信号、一次同期信号、二次同期信号、または準ランダム・シーケンスのうちの少なくとも１つが、機能をイネーブルしているかディセーブルしているかを示す信号に関する情報を含む、請求項３６に記載の装置。
【請求項４１】
前記選択されたダウンリンク情報は、セル識別情報を示す情報である、請求項２に記載の方法。
【請求項４２】
前記選択されたダウンリンク情報は、システム・フレーム数を示す情報である、請求項２に記載の方法。
【請求項４３】
前記選択されたダウンリンク情報は、サイクリック・プレフィクス・タイプを示す情報である、請求項２に記載の方法。
【請求項４４】
前記選択されたダウンリンク情報は、クローズド加入者グループを示す情報である、請求項２に記載の方法。
【請求項４５】
物理ブロードキャスト・チャネルが、機能をイネーブルしているかディセーブルしているかを示す信号に関する情報を含む、請求項５に記載の方法。
【請求項４６】
基準信号が、機能をイネーブルしているかディセーブルしているかを示す信号に関する情報を含む、請求項５に記載の方法。
【請求項４７】
一次同期信号が、機能をイネーブルしているかディセーブルしているかを示す信号に関する情報を含む、請求項５に記載の方法。
【請求項４８】
二次同期信号が、機能をイネーブルしているかディセーブルしているかを示す信号に関する情報を含む、請求項５に記載の方法。
【請求項４９】
準ランダム・シーケンスのうちの少なくとも１つが、機能をイネーブルしているかディセーブルしているかを示す信号に関する情報を含む、請求項５に記載の方法。
【発明の詳細な説明】
【関連出願に対する相互参照】
【０００１】
本願は、その全体が参照によって本明細書に組み込まれた「システム情報を送信するためのシステムおよび方法」（System and Method for Sending System Information）と題された、２００９年６月１０日出願の米国仮特許出願６１／１８５，７２７号の利益を主張する。
【技術分野】
【０００２】
以下の記載は、一般に、無線通信に関し、特に、無線通信システムにおいて情報を送信するシステム、方法、および装置に関する。
【背景技術】
【０００３】
無線通信システムは、さまざまなタイプの通信を提供するために広く開発された。例えば、音声および／またはデータは、そのような無線通信システムによって提供されうる。典型的な無線通信システムまたはネットワークは、１または複数の共有リソース（例えば、帯域幅、送信電力）へ複数のユーザ・アクセスを提供しうる。例えば、システムは、周波数分割多重化（ＦＤＭ）、時分割多重化（ＴＤＭ）、符号分割多重化（ＣＤＭ）、直交周波数分割多重化（ＯＦＤＭ）のようなさまざまな多元接続技術を使用することができる。
【０００４】
一般に、無線多元接続通信システムは、複数のユーザ機器（ＵＥ）のための通信を同時にサポートしうる。ＵＥはおのおのの、順方向リンクおよび逆方向リンクにおける送信によって１または複数の基地局（ＢＳ）と通信しうる。順方向リンク（すなわち、ダウンリンク（ＤＬ））は、ＢＳからＵＥへの通信リンクを称し、逆方向リンク（すなわち、アップリンク（ＵＬ））は、ＵＥからＢＳへの通信リンクを称する。
【０００５】
限定された関連付けの規則にしたがって、変動する送信電力を提供する、および／または、ＵＥとともに動作するセルの場合、セル内のＢＳは、１または複数のＵＥを、１つのセルから別のセルへと負荷を移すことによって、負荷平準を実行しうる。しかしながら、ＤＬにおける干渉によって、ＵＥは、一般に、ＤＬ共有データ・チャネルで送信される、ＤＬにおけるシステム情報および／またはページング情報を復号する際、困難性を感じる。いくつかの実施形態では、ＵＥは、ＤＬ制御チャネルを復号することができない。限定される訳ではないが、物理制御フォーマット・インジケータ・チャネル（ＰＣＦＩＣＨ）、および物理ダウンリンク制御チャネル（ＰＤＣＣＨ）、を含むＤＬ制御チャネルは、関連付けられたＤＬデータ・チャネルのためのリソース割当、および／または、各送信タイミング・インタバル（ＴＴＩ）において、どれだけの制御シンボルが使用されているかをシグナルしうる。
【０００６】
ロング・ターム・イボリューション（ＬＴＥ）リリース８無線通信システムでは、ＰＤＣＣＨフォーマット１Ａまたは１Ｃは、ページング、システム情報アップデート、および／または、ランダム・アクセス応答のためのリソース割当をシグナルするために使用されうる。これらの場合には、限定された数のペイロード・サイズが指定され、変調および符号化スキーム（ＭＣＳ）に関わらず、直交フェーズ・シフト・キーイング（ＱＰＳＫ）変調が使用されうる。強い干渉が存在する場合、ＵＥは、制御およびデータを復号するために、干渉除去またはその他の進化した受信機を適用しうる。しかしながら、この解決策は、データ・チャネルを復号するために、ＵＥが制御チャネルを復号することを必要とする。したがって、このような要件により、無線通信システムにおいて情報を送信するための斬新なシステム、装置、および方法が望ましい。
【発明の概要】
【０００７】
以下は、１または複数の実施形態の基本的な理解を与えるために、そのような実施形態の簡略化された概要を示す。この概要は、考えられるすべての実施形態の広範囲な概観ではなく、すべての実施形態の重要要素や決定的要素を特定することも、何れかまたはすべての実施形態のスコープを線引きすることも意図されていない。その唯一の目的は、後に示されるより詳細な記載に対する前置きとして、簡略化された形式で１または複数の実施形態のいくつかの概念を表すことである。
【０００８】
１または複数の実施形態および対応する開示によれば、さまざまな態様が、ＤＬチャネルによって情報を送信することに関して記載される。
【０００９】
関連する態様によれば、方法が提供される。この方法は、機能を基地局がイネーブルしているかディセーブルしているかを示す信号を受信することと、ここで、この機能は、選択されたダウンリンク情報を用いて、制御チャネルで伝送された情報を送信するように構成されている、選択されたダウンリンク情報を、１または複数の位置において受信することと、少なくとも、選択されたダウンリンク情報に基づいて、ページング情報、またはシステム情報、またはユニキャスト・データ情報のうちの少なくとも１つのリソース割当を決定することと、を含みうる。この決定は、機能がイネーブルされていることを示す信号を受信することに応答して、選択されたダウンリンク情報に対応する制御チャネルを復号することなく実行されうる。
【００１０】
その他の関連する態様によれば、コンピュータ・プログラム製品が提供される。このコンピュータ・プログラム製品は、コンピュータに対して、機能を基地局がイネーブルしているかディセーブルしているかを示す信号を受信させるための第１のコードのセットと、ここで、この機能は、選択されたダウンリンク情報を用いて、制御チャネルで伝送された情報を送信するように構成されている、コンピュータに対して、選択されたダウンリンク情報を、１または複数の位置において受信させるための第２のコードのセットと、コンピュータに対して、少なくとも、選択されたダウンリンク情報に基づいて、ページング情報、またはシステム情報、またはユニキャスト・データ情報のうちの少なくとも１つのリソース割当を決定させるための第３のコードのセットと、ここで、この決定は、機能がイネーブルされていることを示す信号を受信することに応答して、選択されたダウンリンク情報に対応する制御チャネルを復号することなく実行される、を含むコンピュータ読取可能媒体を含みうる。
【００１１】
他の関連する態様によれば、装置が提供される。この装置は、機能を基地局がイネーブルしているかディセーブルしているかを示す信号を受信する手段と、ここで、この機能は、選択されたダウンリンク情報を用いて、制御チャネルで伝送された情報を送信するように構成されている、選択されたダウンリンク情報を、１または複数の位置において受信する手段と、少なくとも、選択されたダウンリンク情報に基づいて、ページング情報、またはシステム情報、またはユニキャスト・データ情報のうちの少なくとも１つのリソース割当を決定する手段と、ここで、この決定は、機能がイネーブルされていることを示す信号を受信することに応答して、選択されたダウンリンク情報に対応する制御チャネルを復号することなく実行される、を備える。
【００１２】
他の関連する態様によれば、別の装置が提供される。この装置は、機能を基地局がイネーブルしているかディセーブルしているかを示す信号を受信し、ここで、この機能は、選択されたダウンリンク情報を用いて、制御チャネルで伝送された情報を送信するように構成されている、選択されたダウンリンク情報を、１または複数の位置において受信し、少なくとも、選択されたダウンリンク情報に基づいて、ページング情報、またはシステム情報、またはユニキャスト・データ情報のうちの少なくとも１つのリソース割当を決定し、ここで、この決定は、機能がイネーブルされていることを示す信号を受信することに応答して、選択されたダウンリンク情報に対応する制御チャネルを復号することなく実行される、ように構成されたリソース割当モジュールを含みうる。
【００１３】
他の関連する態様によれば、別の方法が提供される。この方法は、機能をイネーブルしているかディセーブルしているかを示す信号を送信することと、ここで、この機能は、選択されたダウンリンク情報を用いて、制御チャネルで伝送された情報を送信するように構成されている、選択されたダウンリンク情報を、１または複数の位置において送信することと、ここで、選択されたダウンリンク情報は、ユーザ機器が、少なくとも、選択されたダウンリンク情報に基づいて、ページング情報、またはシステム情報、またはユニキャスト・データ情報のうちの少なくとも１つのリソース割当を決定できるようにするように構成されている、ここで、この決定は、機能がイネーブルされていることを示す信号を送信することに応答して、選択されたダウンリンク情報に対応する制御チャネルを復号することなく実行される、を含みうる。
【００１４】
他の関連する態様によれば、他のコンピュータ・プログラム製品が提供される。このコンピュータ・プログラム製品は、コンピュータに対して、機能をイネーブルしているかディセーブルしているかを示す信号を送信させるための第１のコードのセットと、ここで、この機能は、選択されたダウンリンク情報を用いて、制御チャネルで伝送された情報を送信するように構成されている、コンピュータに対して、選択されたダウンリンク情報を、１または複数の位置において送信させるための第２のコードのセットと、ここで、選択されたダウンリンク情報は、ユーザ機器が、少なくとも、選択されたダウンリンク情報に基づいて、ページング情報、またはシステム情報、またはユニキャスト・データ情報のうちの少なくとも１つのリソース割当を決定できるようにするように構成されている、ここで、この決定は、機能がイネーブルされていることを示す信号を送信することに応答して、選択されたダウンリンク情報に対応する制御チャネルを復号することなく実行される、を備えるコンピュータ読取可能媒体を含みうる。
【００１５】
他の関連する態様によれば、別の装置が提供される。この装置は、機能をイネーブルしているかディセーブルしているかを示す信号を送信する手段と、ここで、この機能は、選択されたダウンリンク情報を用いて、制御チャネルで伝送された情報を送信するように構成されている、選択されたダウンリンク情報を、１または複数の位置において送信する手段と、ここで、選択されたダウンリンク情報は、ユーザ機器が、少なくとも、選択されたダウンリンク情報に基づいて、ページング情報、またはシステム情報、またはユニキャスト・データ情報のうちの少なくとも１つのリソース割当を決定できるようにするように構成されている、ここで、この決定は、機能がイネーブルされていることを示す信号を送信することに応答して、選択されたダウンリンク情報に対応する制御チャネルを復号することなく実行される、を含みうる。
【００１６】
他の関連する態様によれば、別の装置が提供される。この装置は、機能をイネーブルしているかディセーブルしているかを示す信号を送信し、ここで、この機能は、選択されたダウンリンク情報を用いて、制御チャネルで伝送された情報を送信するように構成されている、選択されたダウンリンク情報を、１または複数の位置において送信する、ここで、選択されたダウンリンク情報は、ユーザ機器が、少なくとも、選択されたダウンリンク情報に基づいて、ページング情報、またはシステム情報、またはユニキャスト・データ情報のうちの少なくとも１つのリソース割当を決定できるようにするように構成されている、ここで、この決定は、機能がイネーブルされていることを示す信号を送信することに応答して、選択されたダウンリンク情報に対応する制御チャネルを復号することなく実行される、ように構成されたリソース割当モジュールを含みうる。
【００１７】
他の関連する態様によれば、別の方法が提供される。この方法は、調整された情報を示す信号を受信することと、ここで、調整された情報は、ページング情報およびシステム情報を含む、少なくとも、調整された情報に基づいて、同じ物理リソースを用いて処理を実行することとを含みうる。
【００１８】
他の関連する態様によれば、別のコンピュータ・プログラム製品が提供される。このコンピュータ・プログラム製品は、コンピュータに対して、調整された情報を示す信号を受信させるための第１のコードのセットと、ここで、調整された情報は、ページング情報およびシステム情報を含む、コンピュータに対して、少なくとも、調整された情報に基づいて、同じ物理リソースを用いて処理を実行させるための第２のコードのセットと、を備えるコンピュータ読取可能媒体を備える。
【００１９】
他の関連する態様によれば、他の装置が提供される。この装置は、調整された情報を示す信号を受信する手段と、ここで、調整された情報は、ページング情報およびシステム情報を含む、少なくとも、調整された情報に基づいて、同じ物理リソースを用いて処理を実行する手段とを含みうる。
【００２０】
他の関連する態様によれば、別の装置が提供される。この装置は、調整された情報を示す信号を受信し、ここで、調整された情報は、ページング情報およびシステム情報を含む、少なくとも、調整された情報に基づいて、同じ物理リソースを用いて処理を実行するように構成されたリソース割当モジュールを含みうる。
【００２１】
前述した目的および関連する目的を達成するために、１または複数の実施形態は、後に完全に説明され、特許請求の範囲において特に指摘された特徴を備える。本明細書に記述された以下の説明および添付図面は、１または複数の実施形態のある実例となる態様を詳述する。しかしながら、これらの態様は、さまざまな実施形態の原理が適用されるさまざまな方法のうちの僅かしか示しておらず、記載された実施形態は、そのようなすべての局面およびそれらの均等物を示すことが意図されている。
【図面の簡単な説明】
【００２２】
【図１】図１は、本明細書に記載されたさまざまな態様にしたがって、ＤＬ情報の通信を容易にする無線通信システムの例の例示である。
【図２】図２は、本明細書に記載されたさまざまな態様にしたがって、ＤＬ情報の通信を容易にする無線通信システムの別の例の例示である。
【図３】図３は、本明細書に記載されたさまざまな態様にしたがって、１または複数のフェムト・ノードが、ＤＬ情報の通信を容易にするために展開された無線通信システムの例の例示である。
【図４】図４は、本明細書に記載されたさまざまな態様にしたがって、ＤＬ情報の通信を容易にする無線通信システムにおける有効通信範囲マップの例の例示である。
【図５】図５は、本明細書に記載されたさまざまな態様にしたがって、ＤＬ情報の通信を容易にする無線通信システムのブロック図の例の例示である。
【図６】図６は、本明細書に記載されたさまざまな態様にしたがって、ＤＬ情報の通信を容易にするための方法のフローチャートの例の例示である。
【図７】図７は、本明細書に記載されたさまざまな態様にしたがって、ＤＬ情報の通信を容易にするための方法のフローチャートの例の例示である。
【図８】図８は、本明細書に記載されたさまざまな態様にしたがって、ＤＬ情報の通信を容易にするための方法のフローチャートの別の例の例示である。
【図９】図９は、本明細書に記載されたさまざまな態様にしたがって、ＤＬ情報の通信を容易にするためのシステムの例のブロック図の例示である。
【図１０】図１０は、本明細書に記載されたさまざまな態様にしたがって、ＤＬ情報の通信を容易にするためのシステムの例のブロック図の例示である。
【図１１】図１１は、本明細書に記載されたさまざまな態様にしたがって、ＤＬ情報の通信を容易にするためのシステムの例のブロック図の例示である。
【図１２】図１２は、本明細書に記載された実施形態が、本明細書に記載されたさまざまな態様にしたがって適用されうる無線通信システムの例を示す。
【発明を実施するための形態】
【００２３】
さまざまな実施形態が、全体を通じて同一要素を示すために同一の参照番号が使用される図面を参照して説明される。次の記載では、説明の目的のために、多数の特定の詳細が、１または複数の実施形態についての完全な理解を提供するために記載される。しかしながら、そのような実施形態は、これら特定の詳細なしで実現されうることが明白である。他の事例では、１または複数の実施形態の記載を容易にするために、周知の構成およびデバイスがブロック図形式で示される。
【００２４】
本願で使用されるように、用語「構成要素」、「モジュール」、「システム」等は、ハードウェア、ファームウェア、ハードウェアとソフトウェアとの組み合わせ、ソフトウェア、および／または、実行中のソフトウェアの何れかであるコンピュータ関連エンティティを称することが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイスで動作するアプリケーション、および／または、コンピューティング・デバイスの両方が構成要素になりうる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造が格納されたさまざまなコンピュータ読取可能媒体から実行可能でありうる。これら構成要素は、（例えば、信号によってローカル・システムや分散システム内の他の構成要素とインタラクトする１つの構成要素からのデータ、および／または、他のシステムを備えた例えばインターネットのようなネットワークを経由して他の構成要素とインタラクトする１つの構成要素からのデータのような）１または複数のデータのパケットを有する信号にしたがって、ローカル処理および／またはリモート処理によって通信することができる。
【００２５】
本明細書で記載された技術は、例えば、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングル・キャリア周波数分割多元接続（ＳＣ−ＦＤＭＡ）等のようなさまざまな無線通信システムのために使用されうる。「システム」、「ネットワーク」という用語はしばしば置換可能に使用される。ＣＤＭＡシステムは、例えばユニバーサル地上ラジオ接続（ＵＴＲＡ）、ＣＤＭＡ８０２０等のようなラジオ技術を実施しうる。ＵＴＲＡは、広帯域ＣＤＭＡ（Ｗ−ＣＤＭＡ）およびＣＤＭＡのその他の変形を含んでいる。ＣＤＭＡ８０２０は、ＩＳ−８０２０規格、ＩＳ−９５規格、およびＩＳ−８５６規格をカバーする。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、Ｅ−ＵＴＲＡを使用するＵＭＴＳの最新リリースであり、ダウンリンクではＯＦＤＭＡを用い、アップリンクではＳＣ−ＦＤＭＡを用いる。ＵＴＲＡ、Ｅ−ＵＴＲＡ、ＵＭＴＳ、ＬＴＥ、およびＧＳＭ（登録商標）は、「第３世代パートナシップ計画プロジェクト」（３ＧＰＰ）と命名された組織からのドキュメントに記述されている。それに加えて、ＣＤＭＡ８０２０およびＵＭＢは、「第３世代パートナシップ計画２」（３ＧＰＰ２）と命名された組織からのドキュメントに記載されている。さらに、そのような無線通信システムは、アンペア（ｕｎｐａｉｒｅｄ）な無許可のスペクトルをしばしば用いるピア・トゥ・ピア（例えば、モバイル・トゥ・モバイル）アド・ホック・ネットワーク・システム、８０２．ｘｘ無線ＬＡＮ、Ｂｌｕｅｔｏｏｔｈ（登録商標）、および、その他任意の短距離または長距離の無線通信技術を含みうる。
【００２６】
シングル・キャリア周波数分割多元接続（ＳＣ−ＦＤＭＡ）は、シングル・キャリア変調および周波数ドメイン等値化を用いる。ＳＣ−ＦＤＭＡは、ＯＦＤＭＡシステムのものと同じ性能および本質的に同じ複雑さを有しうる。ＳＣ−ＦＤＭＡ信号は、その固有のシングル・キャリア構造のために、より低いピーク対平均電力比（ＰＡＰＲ）を有しうる。ＳＣ−ＦＤＭＡは、例えば、送信電力効率の観点から、より低いＰＡＰＲがより利点を持つアップリンク通信において使用されうる。したがって、ＳＣ−ＦＤＭＡは、３ＧＰＰロング・ターム・イボリューション（ＬＴＥ）すなわちイボルブドＵＴＲＡにおけるアップリンク多元接続性スキームとして実施されうる。
【００２７】
さらに、さまざまな実施形態が、ＵＥに関して本明細書に記載される。ＵＥはまた、システム、加入者ユニット、加入者局、移動局、モバイル、遠隔局、遠隔端末、モバイル・デバイス、アクセス端末、無線通信デバイス、ユーザ・エージェント、あるいはユーザ・デバイスとも称されうる。ＵＥは、セルラ電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピューティング・デバイス、あるいは、無線モデムに接続されたその他の処理デバイスでありうる。さらに、さまざまな実施形態が、ＢＳまたはアクセス・ノード（ＡＮ）に関連して本明細書に記載される。ＢＳは、ＵＥと通信するために利用することができ、アクセス・ポイント、ＢＳ、フェムト・ノード、ピコ・ノード、ノードＢ、イボルブド・ノードＢ（ｅＮｏｄｅＢ、ｅＮＢ）、あるいはその他のある用語で称されうる。
【００２８】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する、あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２９】
本明細書に記載されたさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶デバイス（例えば、ハード・ディスク、フロッピー（登録商標）ディスク、磁気ストリップ）、光ディスク（例えば、コンパクト・ディスク（ＣＤ）、デジタル多用途ディスク（ＤＶＤ））、スマート・カード、およびフラッシュ・メモリ・デバイス（例えば、ＥＰＲＯＭ、カード、スティック、キー・ドライブ）を含みうる。さらに、本明細書に記載されたさまざまな記憶媒体は、情報を格納するための１または複数のデバイス、および／または、その他の機械読取可能媒体を表すことができる。用語「機械読取可能媒体」は、制限される訳ではないが、無線通信チャネル、および、コードおよび／または命令群および／またはデータの格納、包含、および／または伝送が可能なその他さまざまな媒体（および／または記憶媒体）を含みうる。
【００３０】
いくつかの態様では、本明細書に記載された技術は、マクロ・スケールの有効通信範囲（例えば、一般にマクロ・セル・ネットワークと称される３Ｇネットワークのような大規模なセルラ・ネットワーク）およびより小規模な有効通信範囲（例えば、住宅ベースまたはビルディング・ベースのネットワーク環境）を含むネットワーク内に適用されうる。ＵＥは、このようなネットワークを通って移動する。ＵＥは、マクロ有効通信範囲を提供するＢＳによって、ある位置においてサービス提供される一方、ＵＥは、より小規模な有効通信範囲を提供するＢＳによって、別の位置においてサービス提供されうる。いくつかの態様では、増大する容量成長、ビルディング内有効通信範囲、および（例えば、よりロバストなユーザ経験のための）その他のサービスを提供するために、小規模な有効通信範囲ノードが使用されうる。本明細書における記載では、比較的大規模な領域にわたって有効通信範囲を提供するノードは、マクロ・ノードと称されうる。比較的小さな領域（例えば、住宅）に対して有効通信範囲を提供するノードは、フェムト・ノードと称されうる。マクロ・エリアよりも小さいが、フェムト・エリアよりも大きな領域にわたって有効通信範囲を提供するノードは、（例えば、商業ビルディング内に有効通信範囲を提供する）ピコ・ノードと称されうる。
【００３１】
マクロ・ノード、フェムト・ノードあるいはピコ・ノードに関連付けられたセルは、マクロ・セル、フェムト・セル、あるいはピコ・セルとそれぞれ称される。いくつかの実施では、おのおののセルがさらに、１または複数のセクタに関連付けられうる（分割されうる）。
【００３２】
さまざまなアプリケーションでは、マクロ・ノード、フェムト・ノード、あるいはピコ・ノードを称して、その他の用語が使用されうる。例えば、マクロ・ノードは、ＢＳ、アクセス・ポイント、ｅノードＢ、マクロ・セル等として構成されるか、あるいは、称されうる。さらに、フェムト・ノードは、ホーム・ノードＢ、ホームｅノードＢ、アクセス・ポイント・アクセス・ノード、ＢＳ、フェムト・セル等として構成されるか、あるいは、称されうる。
【００３３】
図１は、本明細書に記載されたさまざまな態様にしたがって、ＤＬ情報の通信を容易にする無線通信システムの例を例示する。無線通信システム１００では、ＵＬにおける送信によって引き起こされた干渉が、ＢＳ１０２によって管理されうる一方、ＤＬにおける送信によって引き起こされた干渉が、ＵＥ１１６、１２２によって管理されうる。
【００３４】
図１に示すように、本明細書に記載されたさまざまな実施形態にしたがった無線通信システム１００が例示されている。システム１００は、複数のアンテナ・グループを含みうるＢＳ１０２を含む。例えば、１つのアンテナ・グループは、アンテナ１０４、１０６を含み、他のグループは、アンテナ１０８、１１０を含み、さらに別のグループは、アンテナ１１２、１１４を含みうる。おのおののアンテナ・グループについて２本のアンテナしか例示されていないが、２本より多いアンテナ、または２本より少ないアンテナも、各グループのために利用されうる。ＢＳ１０２はさらに、送信チェーンおよび受信チェーンを備えうる。これらのおのおのは、当業者によって認識されるであろうが、（例えば、プロセッサ、変調器、マルチプレクサ、復調器、デマルチプレクサ、アンテナのように）信号の送信および受信に関連付けられた複数の構成要素を備えうる。
【００３５】
ＢＳ１０２は、例えばＵＥ１１６、１２２のような１または複数のＵＥと通信しうる。しかしながら、ＢＳ１０２は、ＵＥ１１６、１２２に類似した実質的に任意の数のＵＥと通信しうることが認識されるべきである。ＵＥ１１６、１２２は、例えば、セルラ電話、スマート・フォン、ラップトップ、ハンドヘルド通信デバイス、ハンドヘルド・コンピューティング・デバイス、衛星ラジオ、全地球測位システム、ＰＤＡ、および／または、無線通信システム１００によって通信するその他任意の適切なデバイスでありうる。図示するように、ＵＥ１１６は、アンテナ１１２、１１４と通信しており、ここで、アンテナ１１２、１１４は、ＤＬ１１８によってＵＥ１１６へ情報を送信し、ＵＬ１２０によってＵＥ１１６から情報を受信する。さらに、ＵＥ１２２は、アンテナ１０４、１０６と通信しており、ここで、アンテナ１０４、１０６は、ＤＬ１２４によってＵＥ１２２へ情報を送信し、ＵＬ１２６によってＵＥ１２２から情報を受信する。周波数分割デュプレクス（ＦＤＤ）システムでは、例えば、ＤＬ１１８は、ＵＬ１２０によって使用されているものとは異なる周波数帯域を利用し、ＤＬ１２４は、ＵＬ１２６によって適用されているものとは異なる周波数帯域を適用しうる。さらに、時分割デュプレクス（ＴＤＤ）システムでは、ＤＬ１１８およびＵＬ１２０が、共通の周波数帯域を利用し、ＤＬ１２４およびＵＬ１２６は、共通の周波数帯域を利用する。
【００３６】
通信するように設計された領域および／またはアンテナの各グループは、ＢＳ１０２のセクタと称されうる。例えば、アンテナ・グループは、ＢＳ１０２によってカバーされた領域のセクタ内のＵＥと通信するように設計されうる。ＤＬ１１８、１２４による通信では、ＢＳ１０２の送信アンテナは、ＵＥ１１６、１２２のためのＤＬ１１８、１２４の信号対雑音比を改善するためにビームフォーミングを利用しうる。さらに、ＢＳ１０２は、関連付けられた有効通信範囲にランダムに散在したＵＥ１１６、１２２へ送信するためにビームフォーミングを利用している間、近隣セル内のＵＥ１１６、１２２は、すべてのＵＥへ単一のアンテナによって送信しているＢＳと比べて、少ない干渉しか被らない。さらに、ＢＳ１０２およびＵＥ１１６、１２２は、ここで記載されているように、分散スケジューリングを容易にするためのスケジューリング・ポリシーの設定を提供するように構成されうる。
【００３７】
図２は、本明細書に記載されたさまざまな態様にしたがって、ＤＬ情報の通信を容易にする無線通信システムの別の例の例示である。システム２００は、例えばマクロ・セル２０２Ａ−２０２Ｇのような複数のセル２０２のための通信を提供する。ここで、おのおののセルは、対応するＢＳ２０４（例えば、ＢＳ２０４Ａ−２０４Ｇ）によってサービス提供される。図２に示すように、ＵＥ２０６（例えば、ＵＥ２０６Ａ−２０６Ｌ）は、時間にわたってシステム内のさまざまな場所に分散されうる。おのおののＵＥ２０６は、例えば、ＵＥ２０６がアクティブであるか、および、ソフト・ハンドオフにあるかに依存して、所与の時間において、ＤＬまたはＵＬによって、１または複数のＢＳ２０４と通信しうる。無線通信システム２００は、大規模な地理的領域にわたってサービスを提供することができる。例えば、マクロ・セル２０２Ａ−２０２Ｇは、近隣の数ブロックをカバーしうる。
【００３８】
図３は、本明細書に記載されたさまざまな態様にしたがって、１または複数のフェムト・ノードが、ＤＬ情報の通信を容易にするために展開された無線通信システムの例の例示である。具体的には、システム３００は、（例えば、１または複数のユーザの住宅３３０のような）比較的小規模なネットワーク環境に搭載された複数のフェムト・ノード３１０（例えば、フェムト・ノード３１０Ａ、３１０Ｂ）を含む。おのおののフェムト・ノード３１０は、ＤＳＬルータ、ケーブル・モデム、無線リンク、またはその他の接続手段（図示せず）を経由して、広域ネットワーク３４０（例えば、インターネット）およびモバイル・オペレータ・コア・ネットワーク３５０に接続されうる。以下に説明されるように、おのおののフェムト・ノード３１０は、関連付けられたＵＥ（例えば、関連付けられたＵＥ３２０Ａ）、および、オプションとして、外部ＵＥ（例えば、外部ＵＥ３２０Ｂ）にサービス提供するように構成されうる。言い換えれば、フェムト・ノード３１０へのアクセスが制限され、これによって、所与のＵＥ３２０は、（例えば、ホームのように）指定されたフェムト・ノード（単数または複数）のセットによってサービス提供されうるが、指定されていないフェムト・ノード３１０（例えば、近隣のフェムト・ノード３１０）によってはサービス提供されない。
【００３９】
しかしながら、さまざまな実施形態では、関連付けられたＵＥ３２０Ａが、外部ＵＥ３２０Ｂにサービス提供しているフェムト・ノード３１０からのＤＬにおいて干渉を経験しうる。同様に、関連付けられたＵＥ３２０Ａに関連付けられたフェムト・ノード３１０は、外部ＵＥ３２０ＢからのＵＬで干渉を経験しうる。実施形態では、干渉管理は、本明細書に記載されたように、システム３００において容易にされうる。
【００４０】
図４は、本明細書に記載されたさまざまな態様にしたがって、ＤＬ情報の通信を容易にする無線通信システムにおける有効通信範囲マップの例の例示である。有効通信範囲マップ４００は、いくつかのトラッキング領域４０２（または、ルーティング・エリアまたはロケーション・エリア）を含みうる。これらのおのおのは、いくつかのマクロ有効通信範囲領域を含みうる。図示された実施形態では、トラッキング領域４０２Ａ、４０２Ｂ、４０２Ｃに関連付けられた有効通信範囲の領域は、太実線で線引きされており、マクロ有効通信範囲領域は、六角形によって表される。トラッキング領域４０２Ａ、４０２Ｂ、４０２Ｃは、フェムト有効通信範囲領域４０６を含みうる。この例において、フェムト有効通信範囲領域４０６（例えば、フェムト有効通信範囲領域４０６Ｃ）のおのおのは、マクロ有効通信範囲領域４０４（例えば、マクロ有効通信範囲領域４０４Ｂ）内に図示される。しかしながら、フェムト有効通信範囲領域４０６は、マクロ有効通信範囲領域４０４内に全体が位置していなくても良いことが認識されるべきである。実際、フェムト有効通信範囲領域４０６の大部分は、トラッキング領域４０２またはマクロ有効通信範囲領域４０４内に規定されうる。さらに、１または複数のピコ有効通信範囲領域（図示せず）は、所与のトラッキング領域４０２またはマクロ有効通信範囲領域４０４内に規定されうる。
【００４１】
図３に再び示すように、フェムト・ノード３１０の所有者は、モバイル・オペレータ・コア・ネットワーク３５０を通じて提供された、例えば３Ｇモバイル・サービスのようなモバイル・サービスに申し込みうる。それに加えて、ＵＥ３２０は、マクロ環境および小規模な（例えば、住宅）ネットワーク環境の両方において動作することが可能でありうる。言い換えれば、ＵＥ３２０は、ＵＥ３２０の現在位置に依存して、モバイル・オペレータ・コア・ネットワーク３５０のアクセス・ノード３６０によって、あるいは、（例えば、対応するユーザ住宅３３０内に存在するフェムト・ノード３１０Ａ、３１０Ｂのような）フェムト・ノード３１０のセットのうちの何れか１つによって、サービス提供されうる。例えば、加入者が、自宅の外にいる場合、標準的なマクロ・アクセス・ノード（例えば、ノード３６０）によってサービス提供され、加入者が、自宅にいる場合、フェムト・ノード（例えば、ノード３１０Ａ）によってサービス提供される。ここで、フェムト・ノード３１０は、既存のＵＥ３２０と下位互換性がありうることが認識されるべきである。
【００４２】
フェムト・ノード３１０は、単一の周波数で、代替例では、複数の周波数で展開されうる。特定の構成に依存して、単一の周波数、または、複数の周波数のうちの１または複数が、マクロ・ノード（例えば、ノード３６０）によって使用される１または複数の周波数とオーバラップしうる。
【００４３】
いくつかの態様では、ＵＥ３２０は、接続が可能な場合にはいつでも、（例えば、ＵＥ３２０のホーム・フェムト・ノードのような）好適なフェムト・ノードに接続されるように構成されうる。例えば、ＵＥ３２０がユーザ住宅３３０内にある場合には常に、ＵＥ３２０は、ホーム・フェムト・ノード３１０とのみ通信しうることが望まれうる。
【００４４】
いくつかの態様では、ＵＥ３２０がモバイル・オペレータ・コア・ネットワーク３５０内で動作するが、（例えば、好適なローミング・リストで定義されたような）最も好適なネットワークに存在しない場合、ＵＥ３２０は、より良好なシステムが現在利用可能であるかを判定するために、利用可能なシステムの定期的なスキャンと、好適なシステムと関連付けるためのその後の努力とを含むベター・システム再選択（ＢＳＲ：Ｂｅｔｔｅｒ  Ｓｙｓｔｅｍ  Ｒｅｓｅｌｅｃｔｉｏｎ）を使用して、最も好適なネットワーク（例えば、好適なフェムト・ノード３１０）を探索し続けうる。獲得エントリをもって、ＵＥ３２０は、特定の帯域およびチャネルの探索を制限しうる。例えば、最も好適なシステムの探索は、定期的に反復されうる。ＵＥ３２０は、好適なフェムト・ノード３１０を発見すると、自己の有効通信範囲領域内でキャンプするためのフェムト・ノード３１０を選択する。
【００４５】
フェムト・ノードは、いくつかの態様において、制限されうる。例えば、所与のフェムト・ノードは、あるＵＥにあるサービスを提供するのみでありうる。いわゆる制限された（あるいはクローズされた）関係を持つ構成では、所与のＵＥは、マクロ・セル・モバイル・ネットワーク、および、（例えば、対応するユーザ住宅３３０内に存在するフェムト・ノード３１０のような）フェムト・ノードの定義されたセットによってのみサービス提供されうる。いくつかの実施では、ノードは、少なくとも１つのノードのために、シグナリング、データ・アクセス、登録、ページング、またはサービスのうちの少なくとも１つを提供しないように制限されうる。
【００４６】
いくつかの態様では、（クローズド加入者グループ・ホーム・ノードＢとも称されうる）制限されたフェムト・ノードは、制限された、ＵＥのプロビジョン・セットにサービスを提供するノードである。必要な場合、このセットは、一時的または永久に拡張されうる。いくつかの態様では、クローズド加入者グループ（ＣＳＧ）は、ＵＥの共通アクセス制御リストを共有するＢＳ（例えば、フェムト・ノード）のセットとして定義されうる。領域内のすべてのフェムト・ノード（または、制限されたすべてのフェムト・ノード）が動作するチャネルは、フェムト・チャネルと称されうる。
【００４７】
所与のノードと、所与のＵＥとの間に、さまざまな関係が存在しうる。
【００４８】
例えば、ＵＥの観点から、オープンなフェムト・ノードは、制限の無い関係を持つフェムト・ノードを称しうる。制限されたフェムト・ノードは、（例えば、関連付けおよび／または登録のために制限されたような）ある方式で制限されたフェムト・ノードを称しうる。ホーム・フェムト・ノードは、ＵＥがアクセスおよび動作することを許可されたフェムト・ノードを称しうる。ゲスト・フェムト・ノードは、ＵＥがアクセスおよび動作することを一時的に許可されたフェムト・ノードを称しうる。外部フェムト・ノードは、恐らくは緊急時（例えば、９１１コール）を除いて、ＵＥがアクセスまたは動作することを許可されていないフェムト・ノードを称しうる。
【００４９】
制限されたフェムト・ノードの観点から、ホームＵＥは、制限されたフェムト・ノードにアクセスすることを許可されたＵＥを称しうる。ゲストＵＥは、制限されたフェムト・ノードへの一時的なアクセスを持つＵＥを称しうる。外部ＵＥは、例えば９１１コールのような、恐らくは緊急時を除いて、制限されたフェムト・ノードへアクセスする許可を持たないＵＥ（例えば、制限されたフェムト・ノードへ登録するための信用証明または許可を持たないＵＥ）を称しうる。
【００５０】
図４の記載はフェムト・ノードに関して提供されているが、ピコ・ノードが、より広い有効通信範囲領域について、同一または類似の機能を提供しうることが認識されるべきである。例えば、ピコ・ノードが制限され、所与のＵＥ等のためにホーム・ピコ・ノードが定義されうる。
【００５１】
無線多元接続通信システムは、複数の無線ＵＥのための通信を同時にサポートすることができる。上述したように、おのおののＵＥは、ＤＬまたはＵＬにおける送信によって、１または複数のＢＳと通信しうる。これらの通信リンク（すなわち、ＤＬおよびＵＬ）は、単一入力単一出力システム、複数入力複数出力（ＭＩＭＯ）システム、あるいは、その他いくつかのタイプのシステムによって確立されうる。
【００５２】
ＭＩＭＯシステムはデータ送信のために、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分解されうる。ここで、ＮＳ≦ｍｉｎ｛ＮＴ，ＮＲ｝である。ＮＳ個の独立チャネルのおのおのは、ディメンションに相当する。ＭＩＭＯシステムは、複数の送信アンテナおよび受信アンテナによって形成された追加のディメンションが利用される場合、向上された性能（例えば、より高いスループット、および／または、より高い信頼性）を与えうる。
【００５３】
ＭＩＭＯシステムは、ＴＤＤおよびＦＤＤをサポートしうる。ＴＤＤシステムでは、相互原理によって、ＵＬからＤＬチャネルを推定できるように、ＤＬ送信およびＵＬ送信が、同じ周波数領域に存在しうる。これによって、ＢＳは、ＢＳにおいて複数のアンテナが利用可能である場合、ＤＬで、ビームフォーミング利得を送信できるようになる。いくつかの実施形態では、本明細書で記載されたように、干渉管理のために、ＵＬチャネルのチャネル条件が、ＤＬチャネルから推定されうる。
【００５４】
図５は、本明細書に記載されたさまざまな態様にしたがって、ＤＬ情報の通信を容易にする無線通信システムのブロック図の例の図示である。
【００５５】
記載された実施形態では、ＢＳ５０２、５２２は、制御チャネル情報を用いることなく、ＢＳ５０２、５２２が、ＤＬシステム情報、ページング情報、ユニキャスト・データ情報、および／または、ランダム・アクセス応答を送信することを可能にする機能をイネーブルまたはディセーブルしうる。それゆえ、ＤＬ情報を受信するＵＥ５０４、５２４は、対応するデータ・チャネルを復号するために、制御チャネルを復号する必要はない。
【００５６】
いくつかの実施形態では、ＢＳ５０２、５２２は、ＬＴＥリリース８システムにおけるように、ページング情報および／またはシステム情報のための制御情報を送信しうる。
【００５７】
無線通信システム５００は、ＢＳ５０２、５２２と、ＢＳ５０２、５２２によってサービス提供されるＵＥ５０４、５２４とをそれぞれ含みうる。ＢＳ５０２、５２２は、異なるセルに配置され、さまざまな実施形態では、セル識別情報、システム・フレーム数、サイクリック・プレフィクス・タイプ、送信アンテナ数、および／または、クローズド加入者グループ・フラグからなる任意の組み合わせのうちの１または複数に基づいて、１または複数の位置において、ページング情報、システム情報、および／または、ユニキャスト・データ情報を送信しうる。
【００５８】
ＢＳ５０２、５２２は、複数の位置において情報を送信しうる。いくつかの実施形態では、情報が送信される位置は、ユニークでありうる。いくつかの実施形態では、位置はユニークではない。さまざまな実施形態では、ＵＥ５０４、５２４は、複数の位置を認識しており、正しい位置を復号するために、ブラインド復号を適用しうる。
【００５９】
ＢＳ５０２、５２２によって送信された情報は、制御チャネルで伝送された情報を決定するために、ＵＥ５０４、５２４によって使用されうる。さまざまな実施形態において、制御チャネルで伝送された情報は、限定される訳ではないが、リソース割当情報、データの開始シンボルを示す情報、ハイブリッド自動反復要求識別情報、制御シンボルの数を示す情報、および／または、その他の制御情報を含みうる。ＢＳ５０２、５２２によって送信された情報は、さまざまな実施形態において、物理制御フォーマット・インジケータ・チャネル、および／または、物理ダウンリンク制御チャネルによって送信されうる。
【００６０】
ＢＳ５０２、５２２は、基準信号によるシグナリングによって、ＵＥ５０４、５２４に、一次同期信号、二次同期信号、準ランダム・シーケンス、基準信号、物理ブロードキャスト・チャネル、および／または、その他の物理信号、および／または、チャネルを通知しうる。
【００６１】
いくつかの実施形態では、ＢＳ５０２、５２２は、ページング情報および／またはシステム情報の送信を調整しうる。この調整は、ＵＥ５０４、５２４における干渉除去および／または統合検出を容易にするために同じ物理リソースが使用されるようにするものである。いくつかの実施形態では、ＢＳ５０２、５２２は、本明細書に記載された方法の組み合わせを使用しうる。
【００６２】
特に図５に示すように、図示された実施形態では、ＢＳ５０２、５２２は、データ、および／または、制御情報、および／または、システム、方法、装置、および／または、コンピュータ・プログラム製品のうちの何れかを参照して本明細書で記載されるその他任意のタイプの情報を、ＢＳ５０２、５２２との間で送信および受信するように構成されたトランシーバ５０６、５１６を含みうる。トランシーバ５０６、５１６は、データおよび制御チャネル情報を送信するように構成されうる。さまざまな実施形態では、トランシーバ５０６、５１６は、１または複数の位置において、ダウンリンク情報を送信しうる。送信された情報は、ＵＥ５０４、５２４によって検出されうる。いくつかの実施形態では、ＵＥ５０４、５２４は、ブラインド復号を用いて、ダウンリンク情報を検出しうる。
【００６３】
ＢＳ５０２、５２２はまた、プロセッサ５０８、５２８、およびメモリ５１０、５３０を含みうる。プロセッサ５０８、５２８は、システム、方法、装置、および／または、コンピュータ・プログラム製品のうちの何れかを参照して本明細書に記載された機能のうちの１または複数を実行するように構成されうる。ＢＳ５０２、５２２は、メモリ５１０、５３０をそれぞれ含みうる。メモリ５１０、５３０は、システム、方法、装置、および／または、コンピュータ・プログラム製品のうちの何れかを参照して本明細書に記載された機能を実行するためのコンピュータ実行可能な命令群および／または情報を格納するためのものでありうる。
【００６４】
ＢＳ５０２、５２２はまた、限定される訳ではないが、ページング情報、システム情報、および／または、ユニキャスト・データ情報を含むリソースを割り当てるように構成されたＢＳリソース割当モジュール５１２、５３２を含みうる。ＢＳリソース割当モジュール５１２、５３２は、選択されたダウンリンク情報を送信することによって、ＵＥ５０４、５２４にリソースを割り当てうる。いくつかの実施形態では、ＢＳリソース割当モジュール５１２、５３２は、機能をイネーブルしているかディセーブルしているかを示す信号を送信しうる。ここで、この機能は、選択されたダウンリンク情報を用いて、制御チャネルで伝送された情報を送信するように構成されている。ＢＳ５０２、５３２はまた、選択されたダウンリンク情報を、１または複数の位置において送信しうる。ここで、選択されたダウンリンク情報は、ＵＥが、少なくとも、選択されたダウンリンク情報に基づいて、ページング情報、またはシステム情報、またはユニキャスト・データ情報のうちの少なくとも１つのリソース割当を決定できるようにするように構成されている。いくつかの実施形態では、この決定は、選択されたダウンリンク情報に対応する制御チャネルを復号することなく、また、ＢＳ５０２、５２２が、機能がイネーブルされていることを示す信号をＵＥ５０４、５２４に送信することに応答して、ＵＥ５０４、５２４によってなされうる。
【００６５】
いくつかの実施形態では、選択されたダウンリンク情報は、セル識別情報、システム・フレーム数、サイクリック・プレフィクス・タイプ、または、クローズド加入者グループのうちの少なくとも１つを示す情報である。
【００６６】
いくつかの実施形態では、選択されたダウンリンク情報は、物理制御フォーマット・インジケータ・チャネルまたは物理ダウンリンク制御チャネルのうちの少なくとも１つで送信される。いくつかの実施形態では、１または複数の位置は、互いにユニークではない。いくつかの実施形態では、物理ブロードキャスト・チャネル、基準信号、一次同期信号、二次同期信号、一次ブロードキャスト・チャネル、またはその他の物理的な信号のうちの少なくとも１つは、機能をイネーブルまたはディセーブルしていることを示す信号を含みうる。
【００６７】
ＵＥ５０４、５２４に関し、ＵＥ５０４、５２４は、ページング情報、システム情報、および／または、ユニキャスト・データ情報のリソース割当を決定するように構成されうる。機能がイネーブルされた場合、リソース割当は、少なくともさまざまなパラメータに基づきうる。そして、ＵＥ５０４、５２４は、リソース割当情報を得るために、制御チャネルを復号する必要はない。さまざまな実施形態において、これらパラメータは、限定される訳ではないが、セル識別情報、システム・フレーム数、サイクリック・プレフィクス・タイプ、送信アンテナ数、および／または、クローズド加入者グループ・フラグを含みうる。
【００６８】
これらパラメータは、異なる位置において送信されうる。これら位置がユニークではない場合、ＵＥ５０４、５２４は、ブラインド復号を適用しているすべての可能な一において、さまざまなチャネルを復号することを試みるように構成されうる。ＵＥ５０４、５２４はまた、ＬＴＥリリース８仕様にしたがって構成されたＵＥの場合のように、関連付けられたデータ・チャネルを復号するために、制御チャネルを復号するように構成されうる。
【００６９】
特に図５に再度示すように、ＵＥ５０４、５２４は、データ、および／または、制御情報、および／または、システム、方法、装置、および／または、コンピュータ・プログラム製品のうちの何れかを参照して本明細書で記載されるその他任意のタイプの情報を、ＢＳ５０２、５２２との間で送信および受信するように構成されたトランシーバ５１４、５３４を含みうる。トランシーバ５１４、５３４は、データおよび制御チャネルおよび／またはその情報を受信するように構成されうる。
【００７０】
ＵＥ５０４、５２４はまた、プロセッサ５１６、５３６、およびメモリ５１８、５３８を含みうる。プロセッサ５１６、５３６は、システム、方法、装置、および／または、コンピュータ・プログラム製品のうちの何れかを参照して本明細書に記載された機能のうちの１または複数を実行するように構成されうる。ＵＥ５０４、５２４は、メモリ５１８、５３８をそれぞれ含みうる。メモリ５１８、５３８は、システム、方法、装置、および／または、コンピュータ・プログラム製品のうちの何れかを参照して本明細書に記載された機能を実行するためのコンピュータ実行可能な命令群および／または情報を格納するためのものでありうる。
【００７１】
ＵＥ５０４、５２４はまた、限定される訳ではないが、リソース割当情報、ページング情報、システム情報、および／または、ユニキャスト・データ情報を含む、制御チャネルで伝送される情報を受信および処理するように構成されたＵＥリソース割当モジュール５２０、５４０を含みうる。ＵＥリソース割当モジュール５２０、５４０はまた、ＢＳ５０２、５２２から受信したリソース割当にしたがって、データおよび／または制御情報を処理するように構成されうる。
【００７２】
いくつかの実施形態では、ＵＥリソース割当モジュール５２０、５４０は、機能を基地局がイネーブルしているかディセーブルしているかを示す信号を受信するように構成される。ここで、この機能は、選択されたダウンリンク情報を用いて、制御チャネルで伝送された情報を送信するように構成されている。ＵＥリソース割当モジュール５２０、５４０はまた、選択されたダウンリンク情報を、１または複数の位置において受信し、少なくとも、選択されたダウンリンク情報に基づいて、ページング情報、またはシステム情報、またはユニキャスト・データ情報のうちの少なくとも１つのリソース割当を決定するように構成されうる。いくつかの実施形態では、この決定は、選択されたダウンリンク情報に対応する制御チャネルを復号することなく、機能がイネーブルされていることを示す信号を受信することに応答して実行される。
【００７３】
いくつかの実施形態では、選択されたダウンリンク情報は、セル識別情報、システム・フレーム数、サイクリック・プレフィクス・タイプ、または、クローズド加入者グループのうちの少なくとも１つを示す情報である。いくつかの実施形態では、選択されたダウンリンク情報は、物理制御フォーマット・インジケータ・チャネルまたは物理ダウンリンク制御チャネルのうちの少なくとも１つで受信される。
【００７４】
いくつかの実施形態では、ダウンリンク情報を受信することは、１または複数の位置のうちの少なくとも２つにおいて、少なくとも、選択されたダウンリンク情報を受信することに基づいて、１または複数の位置においてブラインド復号することを備える。
【００７５】
いくつかの実施形態では、物理ブロードキャスト・チャネル、一次同期信号、二次同期信号、基準信号、準ランダム・シーケンス、および／または、その他の物理的な信号のうちの少なくとも１つは、機能をイネーブルまたはディセーブルしていることを示す信号を含む。
【００７６】
いくつかの実施形態では、ＵＥリソース割当モジュール５２０、５４０は、調整された情報を示す信号を受信するように構成されている。調整された情報は、ページング情報、システム情報、および／または、ユニキャスト・データ情報のうちの少なくとも２つを含みうる。ＵＥリソース割当モジュール５２０、５４０はまた、少なくとも、この調整された情報に基づいて、同じ物理的なリソースを用いて処理を実行するように構成されうる。いくつかの実施形態では、この処理は、干渉除去を備える。いくつかの実施形態では、この処理は、統合検出を備える。
【００７７】
図６は、本明細書に記載されたさまざまな態様にしたがって、ＤＬ情報の通信を容易にするための方法のフローチャートの例示である。
【００７８】
６１０において、方法６００は、機能をＢＳがイネーブルしているかディセーブルしているかを示す信号を、ＵＥが受信することを含みうる。いくつかの実施形態では、この機能は、選択されたダウンリンク情報を用いて、制御チャネルで伝送された情報を送信するように構成される。
【００７９】
６２０において、方法６００は、１または複数の位置において、選択されたダウンリンク情報を受信することを含みうる。
【００８０】
６３０において、方法６００は、少なくとも、選択されたダウンリンク情報に基づいて、ページング情報、またはシステム情報、またはユニキャスト・データ情報のうちの少なくとも１つのリソース割当を決定することを含みうる。いくつかの実施形態では、この決定は、選択されたダウンリンク情報に対応する制御チャネルを復号することなく、かつ、機能がイネーブルされていることを示す信号を受信することに応答して実行される。
【００８１】
さまざまな実施形態では、ＵＥが復号する必要のない制御チャネルは、物理制御フォーマット・インジケータ・チャネル、および／または、物理ダウンリンク制御チャネルを含む。物理制御フォーマット・インジケータ・チャネルは、データの開始シンボルを、ＵＥに通知しうる。そして、物理ダウンリンク制御チャネルは、リソース割当、ハイブリッド自動反復要求識別情報、および／または、その他の制御情報をＵＥに通知しうる。
【００８２】
いくつかの実施形態では、選択されたダウンリンク情報は、セル識別情報、システム・フレーム数、サイクリック・プレフィクス・タイプ、または、クローズド加入者グループのうちの少なくとも１つを示す情報である。
【００８３】
いくつかの実施形態では、ダウンリンク情報を受信することは、１または複数の位置のうちの少なくとも２つにおいて、少なくとも、選択されたダウンリンク情報を受信することに基づいて、１または複数の位置においてブラインド復号することを備える。
【００８４】
いくつかの実施形態では、物理ブロードキャスト・チャネル、一次同期信号、二次同期信号、準ランダム・シーケンス、基準信号、および／または、その他の物理的な信号、またはチャネルのうちの少なくとも１つは、機能をイネーブルまたはディセーブルしていることを示す信号を含む。
【００８５】
図７は、本明細書に記載されたさまざまな態様にしたがって、ＤＬ情報の通信を容易にするための方法のフローチャートの例示である。
【００８６】
７１０において、方法７００は、機能をイネーブルしているかディセーブルしているかを示す信号を送信することを含みうる。ここで、この機能は、選択されたダウンリンク情報を用いて、制御チャネルで伝送された情報を送信するように構成されている。
【００８７】
７２０において、方法７００は、選択されたダウンリンク情報を、１または複数の位置において送信することを含みうる。いくつかの実施形態では、選択されたダウンリンク情報は、ユーザ機器が、少なくとも、選択されたダウンリンク情報に基づいて、ページング情報、またはシステム情報、またはユニキャスト・データ情報のうちの少なくとも１つのリソース割当を決定できるようにするように構成されている。ここで、この決定は、機能がイネーブルされていることを示す信号を送信することに応答して、選択されたダウンリンク情報に対応する制御チャネルを復号することなく実行される。物理制御フォーマット・インジケータ・チャネルは、データの開始シンボルをＵＥに通知しうる。そして、物理ダウンリンク制御チャネルは、リソース割当、ハイブリッド自動反復要求識別情報、および／または、その他の制御情報をＵＥに通知しうる。
【００８８】
いくつかの実施形態では、選択されたダウンリンク情報は、セル識別情報、システム・フレーム数、サイクリック・プレフィクス・タイプ、または、クローズド加入者グループのうちの少なくとも１つを示す情報である。
【００８９】
いくつかの実施形態では、１または複数の位置は、互いにユニークではない。いくつかの実施形態では、物理ブロードキャスト・チャネルまたは基準信号のうちの少なくとも１つは、機能をイネーブルしているかディセーブルしているかを示す信号を含む。
【００９０】
図８は、本明細書に記載されたさまざまな態様にしたがって、ＤＬ情報の通信を容易にするための方法のフローチャートである。８１０において、方法８００は、調整された情報を受信することを含みうる。ここで、調整された情報は、ページング情報、システム情報、またはユニキャスト・データ情報のうちの少なくとも２つを含む。８２０において、方法８００は、少なくとも、これら調整された情報に基づいて、同じ物理リソースを用いて処理を実行することを含みうる。
【００９１】
いくつかの実施形態では、この処理は、干渉除去を備える。いくつかの実施形態では、この処理は、統合検出を備える。
【００９２】
図９は、本明細書に記載されたさまざまな態様にしたがって、ＤＬ情報の通信を容易にするシステムの例のブロック図の例示である。システム９００は、プロセッサ、ハードウェア、ソフトウェア、ファームウェア、またはこれらの組み合わせによって実現される機能を表す機能ブロックでありうる機能ブロックを含むものとして表されていることが認識されるべきである。
【００９３】
システム９００は、電子構成要素の論理または物理的なグルーピング９０２を含みうる。例えば、論理または物理的なグルーピング９０２は、機能を基地局がイネーブルしているかディセーブルしているかを示す信号を受信するための電子構成要素９０４を含みうる。ここで、この機能は、選択されたダウンリンク情報を用いて、制御チャネルで伝送された情報を送信するように構成されている。
【００９４】
論理または物理的なグルーピング９０２はまた、１または複数の位置において、選択されたダウンリンク情報を受信するための電子構成要素９０６を含みうる。
【００９５】
論理または物理的なグルーピング９０２はまた、少なくとも、選択されたダウンリンク情報に基づいて、ページング情報、またはシステム情報、またはユニキャスト・データ情報のうちの少なくとも１つのリソース割当を決定するための電子構成要素９０８を含みうる。ここで、この決定は、機能がイネーブルされていることを示す信号を受信することに応答して、選択されたダウンリンク情報に対応する制御チャネルを復号することなく実行される。さまざまな実施形態において、復号される必要のない制御チャネルは、物理制御フォーマット・インジケータ・チャネル、および／または、物理ダウンリンク制御チャネルを含む。物理制御フォーマット・インジケータ・チャネルは、データの開始シンボルをＵＥに通知しうる。そして、物理ダウンリンク制御チャネルは、リソース割当、ハイブリッド自動的反復要求識別情報、および／または、その他の制御情報をＵＥに通知しうる。
【００９６】
いくつかの実施形態では、選択されたダウンリンク情報は、セル識別情報、システム・フレーム数、サイクリック・プレフィクス・タイプ、または、クローズド加入者グループのうちの少なくとも１つを示す情報である。
【００９７】
いくつかの実施形態では、ダウンリンク情報を受信することは、１または複数の位置のうちの少なくとも２つにおいて、少なくとも、選択されたダウンリンク情報を受信することに基づいて、１または複数の位置においてブラインド復号することを備える。いくつかの実施形態では、物理ブロードキャスト・チャネルまたは基準信号のうちの少なくとも１つは、機能をイネーブルしているかディセーブルしているかを示す信号を含む。
【００９８】
論理または物理的なグルーピング９０２はまた、格納するための電子構成要素９１０を含みうる。格納するための電子構成要素９１０は、一般に、ダウンリンク情報、位置、リソース割当情報、および／または、ＤＬデータ、または、制御チャネル情報を格納するように構成されうる。
【００９９】
図１０は、本明細書に記載されたさまざまな態様にしたがって、ＤＬ情報の通信を容易にするシステムの例のブロック図の例示である。システム１０００は、プロセッサ、ハードウェア、ソフトウェア、ファームウェア、またはこれらの組み合わせによって実現される機能を表す機能ブロックでありうる機能ブロックを含むものとして表されていることが認識されるべきである。システム１０００は、通信を容易にするための電子構成要素からなる論理または物理的なグルーピング１００２を含みうる。
【０１００】
これら電子構成要素は、連携して動作しうる。例えば、論理または物理的なグルーピング１００２は、機能をイネーブルしているかまたはディセーブルしているかを示す信号を送信するための電子構成要素１００４を含みうる。ここで、この機能は、選択されたダウンリンク情報を用いて、制御チャネルで伝送された情報を送信するように構成されている。
【０１０１】
論理または物理的なグルーピング１００２はまた、１または複数の位置において、選択されたダウンリンク情報を送信するための電子構成要素１００６を含みうる。ここで、選択されたダウンリンク情報は、ユーザ機器が、少なくとも、選択されたダウンリンク情報に基づいて、ページング情報、またはシステム情報、またはユニキャスト・データ情報のうちの少なくとも１つのリソース割当を決定できるようにするように構成されている。ここで、この決定は、機能がイネーブルされていることを示す信号を送信することに応答して、選択されたダウンリンク情報に対応する制御チャネルを復号することなく実行される。さまざまな実施形態において、復号される必要のない制御チャネルは、物理制御フォーマット・インジケータ・チャネル、および／または、物理ダウンリンク制御チャネルを含む。物理制御フォーマット・インジケータ・チャネルは、データの開始シンボルをＵＥに通知しうる。そして、物理ダウンリンク制御チャネルは、リソース割当、ハイブリッド自動的反復要求識別情報、および／または、その他の制御情報をＵＥに通知しうる。
【０１０２】
いくつかの実施形態では、選択されたダウンリンク情報は、セル識別情報、システム・フレーム数、サイクリック・プレフィクス・タイプ、または、クローズド加入者グループのうちの少なくとも１つを示す情報である。
【０１０３】
いくつかの実施形態では、１または複数の位置は、互いにユニークではない。いくつかの実施形態では、物理ブロードキャスト・チャネルまたは基準信号のうちの少なくとも１つは、機能をイネーブルしているかディセーブルしているかを示す信号を含む。
【０１０４】
論理または物理的なグルーピング１１０２は、格納するための電子構成要素１１０８を含みうる。格納するための電子構成要素１００８は、ページング情報、システム情報、および／または、ユニキャスト・データ情報、セル識別を示す情報、システム・フレーム数、サイクリック・プレフィクス・タイプ、または、クローズド加入者グループ、および／または、リソース割当情報を格納するように構成されうる。
【０１０５】
図１１は、本明細書に記載されたさまざまな態様にしたがって、ＤＬ情報の通信を容易にするシステムの例のブロック図の例示である。システム１１００は、プロセッサ、ハードウェア、ソフトウェア、ファームウェア、またはこれらの組み合わせによって実現される機能を表す機能ブロックでありうる機能ブロックを含むものとして表されていることが認識されるべきである。システム１１００は、周波数再使用を容易にするための電子構成要素からなる論理または物理的なグルーピング１１０２を含みうる。
【０１０６】
これら電子構成要素は、連携して動作しうる。例えば、論理または物理的なグルーピング１１０２は、調整された情報を示す信号を受信するための電子構成要素１１０４を含みうる。調整された情報は、ページング情報、システム情報、またはユニキャスト・データ情報のうちの少なくとも２つを含みうる。
【０１０７】
論理または物理的なグルーピング１１０２はまた、少なくとも、これら調整された情報に基づいて、同じ物理リソースを用いて処理を実行するための電子構成要素１１０６を含みうる。
【０１０８】
いくつかの実施形態では、この処理は、干渉除去を備える。いくつかの実施形態では、この処理は、統合検出を備える。
【０１０９】
論理または物理的なグルーピング１１０２は、格納するための電子構成要素１１０８を含みうる。格納するための電子構成要素１１０８は、ページング、システム、または、ユニキャスト・データ情報、物理リソース情報、干渉除去のための情報、および／または、統合検出のための情報を格納するように構成されうる。
【０１１０】
無線多元接続通信システムは、複数の無線アクセス端末のための通信を同時にサポートすることができる。前述したように、おのおのの端末は、順方向リンクおよび逆方向リンクによる送信によって１または複数のＢＳと通信することができる。順方向リンク（すなわちダウンリンク）は、ＢＳから端末への通信リンクを称し、逆方向リンク（すなわちアップリンク）は、端末からＢＳへの通信リンクを称する。この通信リンクは、単一入力単一出力システム、複数入力複数出力（ＭＩＭＯ）システム、あるいは、その他いくつかのタイプのシステムによって確立されうる。
【０１１１】
ＭＩＭＯシステムはデータ送信のために、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分解されうる。ここで、ＮＳ≦ｍｉｎ｛ＮＴ，ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。
【０１１２】
ＭＩＭＯシステムは、時分割デュプレクス（ＴＤＤ）および周波数デュプレクス（ＦＤＤ）をサポートしうる。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントは、アクセス・ポイントにおいて複数のアンテナが利用可能である場合、順方向リンクで、ビームフォーミング利得を送信できるようになる。
【０１１３】
図１２は、本明細書に記載されたさまざまな態様にしたがって、本明細書に記載された実施形態が適用されうる無線通信システムの例を示す。本明細書における教示は、少なくとも１つの別のノードと通信するためのさまざまな構成要素を適用するノード（例えば、デバイス）へ組み込まれうる。図１２は、ノード間の通信を容易にするために適用されうるいくつかのサンプル構成要素を図示する。具体的には、図１２は、無線通信システム１２００（例えば、ＭＩＭＯシステム）の無線デバイス１２１０（例えば、アクセス・ポイント）および無線デバイス１２５０（例えば、アクセス端末）を例示する。デバイス１２１０では、多くのデータ・ストリームのためのトラフィック・データが、データ・ソース１２１２から送信（ＴＸ）データ・プロセッサ１２１４へ提供される。
【０１１４】
いくつかの態様では、各データ・ストリームが、それぞれの送信アンテナを介して送信される。ＴＸデータ・プロセッサ１２１４は、トラフィック・データ・ストリームをフォーマットし、このデータ・ストリームのために選択された特定の符号化スキームに基づいて符号化し、インタリーブして、符号化されたデータを提供する。
【０１１５】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、あるいはＭ−ＱＡＭ等）に基づいて変調（例えば、シンボル・マップ）され、変調シンボルが提供される。おのおののデータ・ストリームのデータ・レート、符号化、および変調は、プロセッサ１２３０によって実行される命令群によって決定される。データ・メモリ１２３２は、デバイス１２１０のプロセッサ１２３０またはその他の構成要素によって使用されるプログラム・コード、データ、およびその他の情報を格納しうる。
【０１１６】
すべてのデータ・ストリームの変調シンボルは、（例えば、ＯＦＤＭのために）変調シンボルをさらに処理するＴＸ  ＭＩＭＯプロセッサ１２２０に提供される。その後、ＴＸ  ＭＩＭＯプロセッサ１２２０は、ＮＴ個の変調シンボル・ストリームを、ＮＴ個のトランシーバ（ＸＣＶＲ）１２２２Ａ乃至１２２２Ｔへ提供する。いくつかの態様では、ＴＸ  ＭＩＭＯプロセッサ１２２０は、データ・ストリームのシンボルへ、および、このシンボルの送信がなされるアンテナへビームフォーミング重みを適用する。
【０１１７】
各トランシーバ１２２２は、それぞれのシンボル・ストリームを受信し、処理することによって、１または複数のアナログ信号を提供し、さらに、これらアナログ信号を調整（例えば、増幅、フィルタ、およびアップコンバート）することにより、ＭＩＭＯチャネルによる送信に適切な変調信号が提供される。その後、トランシーバ１２２２Ａ乃至１２２２ＴからのＮＴ個の変調信号が、ＮＴ個のアンテナ１２２４Ａ乃至１２２４Ｔからそれぞれ送信される。
【０１１８】
デバイス１２５０では、送信された変調信号が、ＮＲ個のアンテナ１２５２Ａ乃至１２５２Ｒによって受信され、おのおののアンテナ１２５２からの受信信号が、それぞれのトランシーバ（ＸＣＶＲ）１２５４Ａ乃至１２５４Ｒへ提供される。各トランシーバ１２５４は、受信したそれぞれの信号を調整（例えば、フィルタ、増幅、およびダウンコンバート）し、調整された信号をデジタル化してサンプルを取得し、これらサンプルをさらに処理することにより、対応する「受信された」シンボル・ストリームが提供される。
【０１１９】
その後、受信（ＲＸ）データ・プロセッサ１２６０は、ＮＲ個のシンボル・ストリームをＮＲ個のトランシーバ１２５４から受信し、受信したこれらシンボル・ストリームを、特定の受信機処理技術に基づいて処理することによって、ＮＴ個の「検出された」シンボル・ストリームが提供される。ＲＸデータ・プロセッサ１２６０は、その後、検出されたおのおののシンボル・ストリームを復調し、デインタリーブし、復号して、そのデータ・ストリームのためのトラフィック・データを復元する。ＲＸデータ・プロセッサ１２６０による処理は、デバイス１２１０におけるＴＸデータ・プロセッサ１２１４およびＴＸ  ＭＩＭＯプロセッサ１２２０によって実行されるものに対して相補的である。
【０１２０】
プロセッサ１２７０は、上述したように、どの事前符号化行列を使用するのかを定期的に決定する。プロセッサ１２７０は、行列インデクス部およびランク値部を備えた逆方向リンク・メッセージを規定することができる。データ・メモリ１２７２は、デバイス１２５０のプロセッサ１２７０またはその他の構成要素によって使用されるプログラム・コード、データ、およびその他の情報を格納しうる。
【０１２１】
逆方向リンク・メッセージは、通信リンクおよび／または受信されたデータ・ストリームに関するさまざまなタイプの情報を備えうる。その後、逆方向リンク・メッセージは、ＴＸデータ・プロセッサ１２３８によって処理され、変調器１２８０によって変調され、トランシーバ１２５４Ａ乃至１２５４Ｒによって調整され、デバイス１２１０へ送り戻される。ＴＸデータ・プロセッサ１２３８はまた、データ・ソース１２３６から、多くのデータ・ストリームのトラフィック・データを受信する。
【０１２２】
デバイス１２１０では、デバイス１２５０からの変調信号が、アンテナ１２２４によって受信され、トランシーバ１２２２によって調整され、復調器（ＤＥＭＯＤ）１２４０によって復調され、ＲＸデータ・プロセッサ１２４２によって処理されることにより、デバイス１２５０によって送信された逆方向リンク・メッセージが抽出される。その後、プロセッサ１２３０が、ビームフォーミング重みを決定するためにどの事前符号化行列を使用するのかを決定し、抽出されたメッセージを処理する。
【０１２３】
図１２はまた、本明細書で教示されたような干渉制御動作を実行する１または複数の構成要素を含みうる通信構成要素を例示する。例えば、干渉（ＩＮＴＥＲ）制御構成要素１２９０は、本明細書で教示されたように、プロセッサ１２３０、および／または、デバイス１２１０のその他の構成要素と協調し、（例えば、デバイス１２５０のような）他のデバイスとの間で信号を送信／受信する。同様に、干渉制御構成要素１２９２は、プロセッサ１２７０、および／または、デバイス１２５０のその他の構成要素と連携し、（例えば、デバイス１２１０のような）他のデバイスとの間と信号を送信／受信する。おのおののデバイス１２１０、１２５０について、記述された構成要素のうちの１または複数の機能が、単一の構成要素によって提供されうることが認識されるべきである。例えば、単一の処理構成要素が、干渉制御構成要素１２９０およびプロセッサ１２３０の機能を提供し、単一の処理構成要素が、干渉制御構成要素１２９２およびプロセッサ１２７０の機能を提供しうる。
【０１２４】
態様では、論理チャネルは、制御チャネルおよびトラフィック・チャネルに分類されうる。論理制御チャネルは、システム制御情報をブロードキャストするためのＤＬチャネルであるブロードキャスト制御チャネル（ＢＣＣＨ）を含みうる。さらに、論理制御チャネルは、ページング情報を転送するＤＬチャネルであるページング制御チャネル（ＰＣＣＨ）を含みうる。さらに、論理制御チャネルは、マルチキャスト制御チャネル（ＭＣＣＨ）を含みうる。これは、１またはいくつかのマルチキャスト・トラフィック・チャネル（ＭＴＣＨ）のためのマルチメディア・ブロードキャスト・マルチキャスト・サービス（ＭＢＭＳ）スケジューリングおよび制御情報を送信するために使用される。一般に、ラジオ・リソース制御（ＲＲＣ）接続を確立した後、このチャネルは、ＭＢＭＳ（例えば、旧ＭＣＣＨ＋ＭＳＣＨ）を受信するＵＥによってのみ使用される。さらに、論理制御チャネルは、専用制御情報を送信するポイント・トゥ・ポイント双方向チャネルであり、ＲＲＣ接続を有するＵＥによって使用される専用制御チャネル（ＤＣＣＨ）を含みうる。態様では、論理トラフィック・チャネルは、ユーザ情報を転送するために、１つのＵＥに専用のポイント・トゥ・ポイント双方向チャネルである専用トラフィック・チャネル（ＤＴＣＨ）を備える。さらに、論理トラフィック・チャネルは、トラフィック・データを送信するために、ポイント・トゥ・マルチポイントＤＬチャネルのＭＴＣＨを含みうる。
【０１２５】
態様では、伝送チャネルが、ＤＬとＵＬとに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を含みうる。ＰＣＨは、セル全体にわたってブロードキャストされることによって、および、他の制御／トラフィック・チャネルのために使用されうる物理レイヤ（ＰＨＹ）リソースにマップされることによって、ＵＥ節電をサポートしうる（例えば、ネットワークによって、不連続受信（ＤＲＸ）サイクルが、ＵＥへ示されうる）。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを含みうる。
【０１２６】
ＰＨＹチャネルは、ＤＬチャネルとＵＬチャネルとのセットを備える。例えば、ＤＬ  ＰＨＹチャネルは、共通のパイロット・チャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当チャネル（ＳＵＡＣＨ）、アクノレッジメント・チャネル（ＡＣＫＣＨ）、ＤＬ物理共有データ・チャネル（ＤＬ−ＰＳＤＣＨ）、ＵＬ電力制御チャネル（ＵＰＣＣＨ）、ページング・インジケータ・チャネル（ＰＩＣＨ）、および／または、負荷インジケータ・チャネル（ＬＩＣＨ）を含みうる。さらなる実例として、ＵＬ  ＰＨＹチャネルは、物理ランダム・アクセス・チャネル（ＰＲＡＣＨ）、チャネル品質インジケータ・チャネル（ＣＱＩＣＨ）、アクノレッジメント・チャネル（ＡＣＫＣＨ）、アンテナ・サブセット・インジケータ・チャネル（ＡＳＩＣＨ）、共有要求チャネル（ＳＲＥＱＣＨ）、ＵＬ物理共有データ・チャネル（ＵＬ−ＰＳＤＣＨ）、および／またはブロードキャスト・パイロット・チャネル（ＢＰＩＣＨ）を含みうる。
【０１２７】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールド・プログラム可能ゲート・アレイ（ＦＰＧＡ）、プロセッサ、コントローラ、マイクロ・コントローラ、マイクロプロセッサ、および／または、本明細書に記載された機能を実行するように設計されたその他の電子ユニット、またはこれらの組み合わせ内に処理ユニットが実装される。
【０１２８】
実施形態がソフトウェア、ファームウェア、ミドルウェアまたはマイクロコード、プログラム・コードまたはコード・セグメントで実現される場合、これらは、例えば記憶装置のような機械読取可能媒体（またはコンピュータ読取可能媒体）内に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【０１２９】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【０１３０】
上述したものは、１または複数の実施形態のうちの一例を含む。もちろん、上述した実施形態を説明する目的で、構成要素または方法の考えられるすべての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのようなすべての変更、変更、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
以下に本件出願当初の特許請求の範囲を付記する。
［Ｃ１］
無線通信システムにおけるダウンリンク情報の通信を容易にする方法であって、
機能を基地局がイネーブルしているかディセーブルしているかを示す信号を受信することと、ここで、前記機能は、選択されたダウンリンク情報を用いて、制御チャネルで伝送された情報を送信するように構成されている、
前記選択されたダウンリンク情報を、１または複数の位置において受信することと、
少なくとも、前記選択されたダウンリンク情報に基づいて、ページング情報、システム情報、またはユニキャスト・データ情報のうちの少なくとも１つのリソース割当を決定することと、ここで、前記決定は、前記選択されたダウンリンク情報に対応する制御チャネルを復号することなく、かつ、前記機能がイネーブルされていることを示す信号を受信することに応答して実行される、
を備える方法。
［Ｃ２］
前記選択されたダウンリンク情報は、セル識別情報、システム・フレーム数、サイクリック・プレフィクス・タイプ、または、クローズド加入者グループのうちの少なくとも１つを示す情報である、［Ｃ１］に記載の方法。
［Ｃ３］
前記選択されたダウンリンク情報は、物理制御フォーマット・インジケータ・チャネルまたは物理ダウンリンク制御チャネルのうちの少なくとも１つで受信される、［Ｃ１］に記載の方法。
［Ｃ４］
前記ダウンリンク情報を受信することは、前記１または複数の位置のうちの少なくとも２つにおいて、少なくとも、前記選択されたダウンリンク情報を受信することに基づいて、前記１または複数の位置においてブラインド復号することを備える、［Ｃ１］に記載の方法。
［Ｃ５］
物理ブロードキャスト・チャネル、基準信号、一次同期信号、二次同期信号、または準ランダム・シーケンスのうちの少なくとも１つが、機能をイネーブルしているかディセーブルしているかを示す信号に関する情報を含む、［Ｃ１］に記載の方法。
［Ｃ６］
コンピュータ・プログラム製品であって、
コンピュータに対して、機能を基地局がイネーブルしているかディセーブルしているかを示す信号を受信させるための第１のコードのセットと、ここで、前記機能は、選択されたダウンリンク情報を用いて、制御チャネルで伝送された情報を送信するように構成されている、
前記コンピュータに対して、前記選択されたダウンリンク情報を、１または複数の位置において受信させるための第２のコードのセットと、
前記コンピュータに対して、少なくとも、前記選択されたダウンリンク情報に基づいて、ページング情報、システム情報、またはユニキャスト・データ情報のうちの少なくとも１つのリソース割当を決定させるための第３のコードのセットと、ここで、前記決定は、前記選択されたダウンリンク情報に対応する制御チャネルを復号することなく、かつ、前記機能がイネーブルされていることを示す信号を送信することに応答して実行される、を備えるコンピュータ読取可能媒体を備える、コンピュータ・プログラム製品。
［Ｃ７］
前記選択されたダウンリンク情報は、セル識別情報、システム・フレーム数、サイクリック・プレフィクス・タイプ、または、クローズド加入者グループのうちの少なくとも１つを示す情報である、［Ｃ６］に記載のコンピュータ・プログラム製品。
［Ｃ８］
前記選択されたダウンリンク情報は、物理制御フォーマット・インジケータ・チャネルまたは物理ダウンリンク制御チャネルのうちの少なくとも１つで受信される、［Ｃ６］に記載のコンピュータ・プログラム製品。
［Ｃ９］
前記選択されたダウンリンク情報を受信することは、前記１または複数の位置のうちの少なくとも２つにおいて、少なくとも、前記選択されたダウンリンク情報を受信することに基づいて、前記１または複数の位置においてブラインド復号することを備える、［Ｃ６］に記載のコンピュータ・プログラム製品。
［Ｃ１０］
物理ブロードキャスト・チャネル、基準信号、一次同期信号、二次同期信号、または準ランダム・シーケンスのうちの少なくとも１つが、機能をイネーブルしているかディセーブルしているかを示す信号に関する情報を含む、［Ｃ６］に記載のコンピュータ・プログラム製品。
［Ｃ１１］
装置であって、
機能を基地局がイネーブルしているかディセーブルしているかを示す信号を受信する手段と、ここで、前記機能は、選択されたダウンリンク情報を用いて、制御チャネルで伝送された情報を送信するように構成されている、
前記選択されたダウンリンク情報を、１または複数の位置において受信する手段と、
少なくとも、前記選択されたダウンリンク情報に基づいて、ページング情報、システム情報、またはユニキャスト・データ情報のうちの少なくとも１つのリソース割当を決定する手段と、ここで、前記決定は、前記選択されたダウンリンク情報に対応する制御チャネルを復号することなく、かつ、前記機能がイネーブルされていることを示す信号を送信することに応答して実行される、
を備える装置。
［Ｃ１２］
前記選択されたダウンリンク情報は、セル識別情報、システム・フレーム数、サイクリック・プレフィクス・タイプ、または、クローズド加入者グループのうちの少なくとも１つを示す情報である、［Ｃ１１］に記載の装置。
［Ｃ１３］
前記選択されたダウンリンク情報は、物理制御フォーマット・インジケータ・チャネルまたは物理ダウンリンク制御チャネルのうちの少なくとも１つで受信される、［Ｃ１１］に記載の装置。
［Ｃ１４］
前記ダウンリンク情報を受信することは、前記１または複数の位置のうちの少なくとも２つにおいて、少なくとも、前記選択されたダウンリンク情報を受信することに基づいて、前記１または複数の位置においてブラインド復号することを備える、［Ｃ１１］に記載の装置。
［Ｃ１５］
物理ブロードキャスト・チャネル、基準信号、一次同期信号、二次同期信号、または準ランダム・シーケンスのうちの少なくとも１つが、機能をイネーブルしているかディセーブルしているかを示す信号に関する情報を含む、［Ｃ１１］に記載の装置。
［Ｃ１６］
装置であって、
機能を基地局がイネーブルしているかディセーブルしているかを示す信号を受信し、ここで、前記機能は、選択されたダウンリンク情報を用いて、制御チャネルで伝送された情報を送信するように構成されている、
前記選択されたダウンリンク情報を、１または複数の位置において受信し、
少なくとも、前記選択されたダウンリンク情報に基づいて、ページング情報、システム情報、またはユニキャスト・データ情報のうちの少なくとも１つのリソース割当を決定するように構成され、ここで、前記決定は、前記選択されたダウンリンク情報に対応する制御チャネルを復号することなく、かつ、前記機能がイネーブルされていることを示す信号を送信することに応答して実行される、
リソース割当モジュールを備える、装置。
［Ｃ１７］
前記選択されたダウンリンク情報は、セル識別情報、システム・フレーム数、サイクリック・プレフィクス・タイプ、または、クローズド加入者グループのうちの少なくとも１つを示す情報である、［Ｃ１６］に記載の装置。
［Ｃ１８］
前記選択されたダウンリンク情報は、物理制御フォーマット・インジケータ・チャネルまたは物理ダウンリンク制御チャネルのうちの少なくとも１つで受信される、［Ｃ１６］に記載の装置。
［Ｃ１９］
前記ダウンリンク情報を受信することは、前記１または複数の位置のうちの少なくとも２つにおいて、少なくとも、前記選択されたダウンリンク情報を受信することに基づいて、前記１または複数の位置においてブラインド復号することを備える、［Ｃ１６］に記載の装置。
［Ｃ２０］
物理ブロードキャスト・チャネル、基準信号、一次同期信号、二次同期信号、または準ランダム・シーケンスのうちの少なくとも１つが、機能をイネーブルしているかディセーブルしているかを示す信号に関する情報を含む、［Ｃ１６］に記載の装置。
［Ｃ２１］
無線通信システムにおけるダウンリンク情報の通信を容易にする方法であって、
機能をイネーブルしているかディセーブルしているかを示す信号を送信することと、ここで、前記機能は、選択されたダウンリンク情報を用いて、制御チャネルで伝送された情報を送信するように構成されている、
前記選択されたダウンリンク情報を、１または複数の位置において送信することと、ここで、前記選択されたダウンリンク情報は、ユーザ機器が、少なくとも、前記選択されたダウンリンク情報に基づいて、ページング情報、またはシステム情報、またはユニキャスト・データ情報のうちの少なくとも１つのリソース割当を決定できるようにするように構成されている、ここで、前記決定は、前記選択されたダウンリンク情報に対応する制御チャネルを復号することなく、かつ、前記機能がイネーブルされていることを示す信号を送信することに応答して実行される、
を備える方法。
［Ｃ２２］
前記選択されたダウンリンク情報は、セル識別情報、システム・フレーム数、サイクリック・プレフィクス・タイプ、または、クローズド加入者グループのうちの少なくとも１つを示す情報である、［Ｃ２１］に記載の方法。
［Ｃ２３］
前記選択されたダウンリンク情報は、物理制御フォーマット・インジケータ・チャネルまたは物理ダウンリンク制御チャネルのうちの少なくとも１つで送信される、［Ｃ２１］に記載の方法。
［Ｃ２４］
前記１または複数の位置は、互いにユニークではない、［Ｃ２１］に記載の方法。
［Ｃ２５］
物理ブロードキャスト・チャネル、基準信号、一次同期信号、二次同期信号、または準ランダム・シーケンスのうちの少なくとも１つが、機能をイネーブルしているかディセーブルしているかを示す信号に関する情報を含む、［Ｃ２１］に記載の方法。
［Ｃ２６］
コンピュータ・プログラム製品であって、
コンピュータに対して、機能をイネーブルしているかディセーブルしているかを示す信号を送信させるための第１のコードのセットと、ここで、前記機能は、選択されたダウンリンク情報を用いて、制御チャネルで伝送された情報を送信するように構成されている、
前記コンピュータに対して、前記選択されたダウンリンク情報を、１または複数の位置において送信させるための第２のコードのセットと、ここで、前記選択されたダウンリンク情報は、ユーザ機器が、少なくとも、前記選択されたダウンリンク情報に基づいて、ページング情報、またはシステム情報、またはユニキャスト・データ情報のうちの少なくとも１つのリソース割当を決定できるようにするように構成されている、ここで、前記決定は、前記選択されたダウンリンク情報に対応する制御チャネルを復号することなく、かつ、前記機能がイネーブルされていることを示す信号を送信することに応答して実行される、
を備えるコンピュータ読取可能媒体を備える、コンピュータ・プログラム製品。
［Ｃ２７］
前記選択されたダウンリンク情報は、セル識別情報、システム・フレーム数、サイクリック・プレフィクス・タイプ、または、クローズド加入者グループのうちの少なくとも１つを示す情報である、［Ｃ２６］に記載のコンピュータ・プログラム製品。
［Ｃ２８］
前記選択されたダウンリンク情報は、物理制御フォーマット・インジケータ・チャネルまたは物理ダウンリンク制御チャネルのうちの少なくとも１つで送信される、［Ｃ２６］に記載のコンピュータ・プログラム製品。
［Ｃ２９］
前記１または複数の位置は、互いにユニークではない、［Ｃ２６］に記載のコンピュータ・プログラム製品。
［Ｃ３０］
物理ブロードキャスト・チャネル、基準信号、一次同期信号、二次同期信号、または準ランダム・シーケンスのうちの少なくとも１つが、機能をイネーブルしているかディセーブルしているかを示す信号に関する情報を含む、［Ｃ２６］に記載のコンピュータ・プログラム製品。
［Ｃ３１］
装置であって、
機能をイネーブルしているかディセーブルしているかを示す信号を送信する手段と、ここで、前記機能は、選択されたダウンリンク情報を用いて、制御チャネルで伝送された情報を送信するように構成されている、
前記選択されたダウンリンク情報を、１または複数の位置において送信する手段と、ここで、前記選択されたダウンリンク情報は、ユーザ機器が、少なくとも、前記選択されたダウンリンク情報に基づいて、ページング情報、またはシステム情報、またはユニキャスト・データ情報のうちの少なくとも１つのリソース割当を決定できるようにするように構成されている、ここで、前記決定は、前記選択されたダウンリンク情報に対応する制御チャネルを復号することなく、かつ、前記機能がイネーブルされていることを示す信号を送信することに応答して実行される、
を備える装置。
［Ｃ３２］
前記選択されたダウンリンク情報は、セル識別情報、システム・フレーム数、サイクリック・プレフィクス・タイプ、または、クローズド加入者グループのうちの少なくとも１つを示す情報である、［Ｃ３１］に記載の装置。
［Ｃ３３］
前記選択されたダウンリンク情報は、物理制御フォーマット・インジケータ・チャネルまたは物理ダウンリンク制御チャネルのうちの少なくとも１つで送信される、［Ｃ３１］に記載の装置。
［Ｃ３４］
前記１または複数の位置は、互いにユニークではない、［Ｃ３１］に記載の装置。
［Ｃ３５］
物理ブロードキャスト・チャネル、基準信号、一次同期信号、二次同期信号、または準ランダム・シーケンスのうちの少なくとも１つが、機能をイネーブルしているかディセーブルしているかを示す信号に関する情報を含む、［Ｃ３１］に記載の装置。
［Ｃ３６］
装置であって、
機能をイネーブルしているかディセーブルしているかを示す信号を送信し、ここで、前記機能は、選択されたダウンリンク情報を用いて、制御チャネルで伝送された情報を送信するように構成されている、
前記選択されたダウンリンク情報を、１または複数の位置において送信するように構成され、ここで、前記選択されたダウンリンク情報は、ユーザ機器が、少なくとも、前記選択されたダウンリンク情報に基づいて、ページング情報、またはシステム情報、またはユニキャスト・データ情報のうちの少なくとも１つのリソース割当を決定できるようにするように構成されている、ここで、前記決定は、前記選択されたダウンリンク情報に対応する制御チャネルを復号することなく、かつ、前記機能がイネーブルされていることを示す信号を送信することに応答して実行される、
リソース割当モジュールを備える、装置。
［Ｃ３７］
前記選択されたダウンリンク情報は、セル識別情報、システム・フレーム数、サイクリック・プレフィクス・タイプ、または、クローズド加入者グループのうちの少なくとも１つを示す情報である、［Ｃ３６］に記載の装置。
［Ｃ３８］
前記選択されたダウンリンク情報は、物理制御フォーマット・インジケータ・チャネルまたは物理ダウンリンク制御チャネルのうちの少なくとも１つで送信される、［Ｃ３６］に記載の装置。
［Ｃ３９］
前記１または複数の位置は、互いにユニークではない、［Ｃ３６］に記載の装置。
［Ｃ４０］
物理ブロードキャスト・チャネル、基準信号、一次同期信号、二次同期信号、または準ランダム・シーケンスのうちの少なくとも１つが、機能をイネーブルしているかディセーブルしているかを示す信号に関する情報を含む、［Ｃ３６］に記載の装置。
［Ｃ４１］
無線通信システムにおけるダウンリンク情報の通信を容易にする方法であって、
調整された情報を示す信号を受信することと、ここで、前記調整された情報は、ページング情報、システム情報、またはユニキャスト・データ情報のうちの少なくとも２つを含む、
少なくとも、前記調整された情報に基づいて、同じ物理リソースを用いて処理を実行することと、
を備える方法。
［Ｃ４２］
前記処理は、干渉除去を備える、［Ｃ４１］に記載の方法。
［Ｃ４３］
前記処理は、統合検出を備える、［Ｃ４１］に記載の方法。
［Ｃ４４］
コンピュータ・プログラム製品であって、
コンピュータに対して、調整された情報を示す信号を受信させるための第１のコードのセットと、ここで、前記調整された情報は、ページング情報、システム情報、またはユニキャスト・データ情報のうちの少なくとも２つを含む、
コンピュータに対して、少なくとも、前記調整された情報に基づいて、同じ物理リソースを用いて処理を実行させるための第２のコードのセットと、
を備えるコンピュータ読取可能媒体を備える、コンピュータ・プログラム製品。
［Ｃ４５］
前記処理は、干渉除去を備える、［Ｃ４４］に記載のコンピュータ・プログラム製品。
［Ｃ４６］
前記処理は、統合検出を備える、［Ｃ４４］に記載のコンピュータ・プログラム製品。
［Ｃ４７］
装置であって、
調整された情報を示す信号を受信する手段と、ここで、前記調整された情報は、ページング情報、システム情報、またはユニキャスト・データ情報のうちの少なくとも２つを含む、
少なくとも、前記調整された情報に基づいて、同じ物理リソースを用いて処理を実行する手段と、
を備える装置。
［Ｃ４８］
前記処理は、干渉除去を備える、［Ｃ４７］に記載の装置。
［Ｃ４９］
前記処理は、統合検出を備える、［Ｃ４７］に記載の装置。
［Ｃ５０］
装置であって、
調整された情報を示す信号を受信し、ここで、前記調整された情報は、ページング情報、システム情報、またはユニキャスト・データ情報のうちの少なくとも２つを含む、
少なくとも、前記調整された情報に基づいて、同じ物理リソースを用いて処理を実行する、
ように構成されたリソース割当モジュールを備える、装置。
［Ｃ５１］
前記処理は、干渉除去を備える、［Ｃ５０］に記載の装置。
［Ｃ５２］
前記処理は、統合検出を備える、［Ｃ５０］に記載の装置。
【図１】
0005475118.tif 000002
【図２】
0005475118.tif 000003
【図３】
0005475118.tif 000004
【図４】
0005475118.tif 000005
【図５】
0005475118.tif 000006
【図６】
0005475118.tif 000007
【図７】
0005475118.tif 000008
【図８】
0005475118.tif 000009
【図９】
0005475118.tif 000010
【図１０】
0005475118.tif 000011
【図１１】
0005475118.tif 000012
【図１２】
0005475118.tif 000013